(57)【要約】  データを記録した磁気テープ、ひいてはそこに記録されているデータを、小スペース内において、簡単な構造で、安価に、長期間に亘って、確実に保存しうるようにした磁気テープ保管装置を提供する。  筐体１内に、カートリッジ収容部１６と、磁気テープドライブ１７と、カートリッジ収容部１６に収容されている複数のカートリッジ７を、選択的に磁気テープドライブ１７に移送および元位置に返送するカートリッジ搬送装置１８と、カートリッジ収容部１６に収容されている各カートリッジ７のメモリチップに記憶されているデータを、選択的に非接触で読み取ることのできるカートリッジデータ読取り装置１９と、それらを制御してカートリッジ７の巻き直しを適時に行うようにしたコンピュータ２０とを設ける。
2017175264.tif 000002
【特許請求の範囲】
【請求項１】
筐体と、
前記筐体内に設けられ、かつ巻回した磁気テープおよび非接触で読み取り可能のメモリチップを有する複数のカートリッジを収容するカートリッジ収容部と、
前記筐体内に設けられ、かつ前記カートリッジにおける磁気テープの読み取り、書き込み、および巻き直しを行う磁気テープドライブと、
前記筐体内に設けられ、かつ前記カートリッジ収容部に収容されている複数のカートリッジを、選択的に前記磁気テープドライブに移送および元位置に返送するカートリッジ搬送装置と、
前記カートリッジ搬送装置に設けられ、かつ前記カートリッジ収容部に収容されている複数のカートリッジにおける各メモリチップに記憶されているデータを、選択的に非接触で読み取ることのできるカートリッジデータ読取り装置と、
前記筐体に設けられ、かつ前記カートリッジデータ読取り装置により読み取られたデータに基づいて、巻き直しを必要とするカートリッジを割り出し、割り出されたカートリッジにおける磁気テープの巻き直しを実行するように、前記磁気テープドライブおよびカートリッジ搬送装置を制御する制御装置とを備え、
前記カートリッジにおけるメモリチップには、該カートリッジの巻き直し履歴が記憶されるようになっていることを特徴とする磁気テープ保管装置。
【請求項２】
カートリッジにおける磁気テープの巻き直しを実行する際に、カートリッジから引き出されて走行する磁気テープの走行部分の雰囲気に、除電イオンを含む空気を供給する除電イオン供給装置を前記筐体に設けたことを特徴とする請求項１記載の磁気テープ保管装置。
【請求項３】
前記磁気テープドライブは、磁気テープのエラーチェックを行い、かつエラーチェックした履歴を、エラーチェックした前記磁気テープが収容されているカートリッジのメモリチップに記憶させる機能を有しており、前記カートリッジデータ読取り装置は、複数のカートリッジにおける各メモリチップに記憶されているエラーチェック履歴をも選択的に非接触で読み取ることができるようになっており、さらに、前記制御装置は、前記カートリッジデータ読取り装置が読み取ったエラーチェック履歴に含まれるエラーレートが予め定めた閾値を越えたことを判別し、その情報を出力する書き換え時期判別装置を有していることを特徴とする請求項１または２記載の磁気テープ保管装置。
【請求項４】
前記筐体内に、少なくとも２台の磁気テープドライブを設け、かつ前記制御装置に、前記書き換え時期判別装置の情報に基づいて、エラーチェック履歴が閾値を越えた磁気テープが収容されているカートリッジを一方の磁気テープドライブに装着し、他方の磁気テープドライブに、筐体内に予め保管しておいた未使用のカートリッジを装着し、一方の磁気テープドライブにより読み取った磁気テープのデータを、他方の磁気テープドライブに装着した未使用のカートリッジの磁気テープに書き込むように、前記カートリッジ搬送装置と前記２台の磁気テープドライブとを制御する書き換え制御装置を設けたことを特徴とする請求項３記載の磁気テープ保管装置。
【請求項５】
前記書き換え制御装置に、エラーチェック履歴が閾値を越えた磁気テープが収容されているカートリッジにおけるメモリチップに記憶されているデータを、未使用のカートリッジにおけるメモリチップに、前世代の情報として記憶させる手段を設けたことを特徴とする請求項４記載の磁気テープ保管装置。
【請求項６】
前記筐体に、カートリッジを出し入れしうる出入口を設け、かつ前記カートリッジ搬送装置を、前記出入口に外部から挿入したカートリッジをカートリッジ収容部または磁気テープドライブまで搬送し、かつカートリッジ収容部に収容されているか、または磁気テープドライブに装着されているカートリッジを、前記出入口まで搬送し、そこから外部に排出させる機能を有するものとしたことを特徴とする請求項１〜５のいずれかに記載の磁気テープ保管装置。
【請求項７】
前記カートリッジ収容部を、台板上に複数のカートリッジを左右方向に並べて収容するものとし、前記カートリッジ搬送装置を、
前記カートリッジ収容部に収容された複数のカートリッジの上方または下方を左右方向に移動可能として前記筐体内に設けられた前後方向を向くスライドフレームと、
前記スライドフレームを左右方向に移動させる左右移動装置と、
前記スライドフレームに前後方向に移動可能として装着された摺動体と、
前記摺動体をスライドフレームに沿って前後方向に移動させる前後移動装置と、
前記摺動体に設けられ、かつ前記カートリッジ収容部に収容されている各カートリッジの表面に設けられた凹部に選択的に係脱しうる係合部材と、
前記係合部材を、前記カートリッジの凹部に係合しうる係合位置と、前記凹部から離脱する非係合位置とに移動させる係脱駆動装置と、
前記台板の後方に位置するようにして、前記スライドフレームと一体的に設けられ、かつ前記係合部材が凹部に係合して、前記台板より後方に移動させられたカートリッジを受支する移動受け部材
とを備えているものとし、さらに、前記スライドフレームにおける前記カートリッジ収容部に収容されている各カートリッジのメモリチップに対向する部分に、前記カートリッジデータ読取り装置を設けたことを特徴とする請求項１〜６のいずれかに記載の磁気テープ保管装置。
【請求項８】
前記係合部材を、前後方向を向く軸部と、その一端より前記軸部と直交する方向に突出する係合爪とを有するものとし、かつ前記軸部を前記係脱駆動装置により回動させることによって、前記係合爪が前記カートリッジに設けられた凹部に係合する係合位置と、前記係合爪が前記カートリッジの凹部から離脱する非係合位置とに移動可能としたことを特徴とする請求項７記載の磁気テープ保管装置。
【請求項９】
前記筐体内における移動受け部材より後方に、前記磁気テープドライブを、そのカートリッジ装着口が前方を向くようにして配設し、前記係合部材を、前記軸部の他端より前記軸部と直交する方向で、かつ前記係合爪に対して前記軸部を中心として９０°以上の角度をなす方向に突出する押し爪をさらに有するものとし、さらに、前記係脱駆動装置を、前記係合爪が前記カートリッジの凹部から離脱した状態で、前記押し爪が前記カートリッジの前面に当接しうる押動可能位置まで、前記係合部材を回動させうるものとしたことを特徴とする請求項８記載の磁気テープ保管装置。
【発明の詳細な説明】
【技術分野】
【０００１】
本発明は、磁気テープ保管装置に関する。
【背景技術】
【０００２】
データを記録した磁気テープを巻回してカートリッジ内に収容したものを、使用することなく長期間保存しておくと、性状が悪化し、最悪の場合、記録したデータに欠落が生じたり、データが変質したり、またはデータを取り出せなくなることがある。
この性状悪化の第１の要因としては、空気中に含まれる水蒸気(湿気)に化学物質や塵埃が吸収され、それが磁気テープに付着して、カビを発生させたり、テープを変質させたりすることによるものが考えられる。
第２の要因としては、カートリッジ内において巻回された磁気テープの内周部が、外周部により巻き締められて強い物理的な圧力を受け、テープ同士の貼り付き、表面に付着している物質の転移、テープの基材の物理的な伸びや圧縮等が考えられる。【０００３】
このような磁気テープの性状の悪化を防止する手段として、例えば、最後にテープの巻き直しを行った時点から、ある一定時間が経過したものを判別し、そのテープの巻き直しを行うようにしたもの(例えば特許文献１参照)、磁気テープの情報読み取り手段により読み取られた情報に基づいて、エラーレートを算出し、そのエラーレートが所定の閾値を越えたとき、保守または交換の必要性があると判定するようにしたもの(例えば特許文献２参照)、上記のエラーレートと同様のエラー頻度情報に基づいて、磁気ヘッドのクリーニング時期を決定するようにしたもの(例えば特許文献３参照)、温度湿度センサにより検出した湿度が所定値より高くなったとき、湿度制御部内の温度が上がるように、ペルチェ素子を制御するようにしたもの(例えば特許文献４参照)等がある。
【先行技術文献】
【特許文献】
【０００４】
【特許文献１】特許第３２３７１９１号公報
【特許文献２】特開２００６−１６４４４５号公報
【特許文献３】特開２００３−３３１４０８号公報
【特許文献４】特開２００９−２２３９６４号公報
【発明の概要】
【発明が解決しようとする課題】
【０００５】
上記のような従来の解決手段は、それぞれの目的をある程度達成しうるものではあるが、磁気テープ、ひいてはそこに記録されているデータを、長期間、換言すると半永久的に保存するという観点からは未だ十分とは言えず、また実施に当たって多額の費用を必要としたり、大型の設備が必要となったりする等の問題がある。【０００６】
本発明は、従来の技術が有する上記のような問題点に鑑み、データを記録した磁気テープ、ひいてはそこに記録されているデータを、小スペース内において、簡単な構造で、安価に、長期間に亘って、確実に保存しうるようにした磁気テープ保管装置を提供することを目的としている。
【課題を解決するための手段】
【０００７】
本発明によると、上記課題は次のようにして解決される。
(１)  磁気テープ保管装置が、筐体と、前記筐体内に設けられ、かつ巻回した磁気テープおよび非接触で読み取り可能のメモリチップを有する複数のカートリッジを収容するカートリッジ収容部と、前記筐体内に設けられ、かつ前記カートリッジにおける磁気テープの読み取り、書き込み、および巻き直しを行う磁気テープドライブと、前記筐体内に設けられ、かつ前記カートリッジ収容部に収容されている複数のカートリッジを、選択的に前記磁気テープドライブに移送および元位置に返送するカートリッジ搬送装置と、前記カートリッジ搬送装置に設けられ、かつ前記カートリッジ収容部に収容されている複数のカートリッジにおける各メモリチップに記憶されているデータを、選択的に非接触で読み取ることのできるカートリッジデータ読取り装置と、前記筐体に設けられ、かつ前記カートリッジデータ読取り装置により読み取られたデータに基づいて、巻き直しを必要とするカートリッジを割り出し、割り出されたカートリッジにおける磁気テープの巻き直しを実行するように、前記磁気テープドライブおよびカートリッジ搬送装置を制御する制御装置とを備えるものとし、前記カートリッジにおけるメモリチップには、該カートリッジの巻き直し履歴が記憶されるようにする。【０００８】
このような構成によると、適時に、または予め定めた周期で、カートリッジ搬送装置を作動させて、そこに設けたカートリッジデータ読取り装置により、カートリッジ収容部に収容されている各カートリッジのメモリチップに記憶されているデータを非接触で読み取り、そのデータに基づいて、制御装置において、巻き直しを必要としているカートリッジが割り出されると、そのカートリッジがカートリッジ搬送装置により磁気テープドライブまで搬送され、そこでそのカートリッジ内の磁気テープが自動的に巻き直される。
この巻き直しにより、カートリッジ内の磁気テープは、蓄積されていたストレスが解放され、かつ一旦筐体内の雰囲気に曝されることにより、耐久性が増す。
それによって、貴重なデータが記録されている磁気テープ、ひいてはそこに記録されているデータを、小スペース内において、安価に、長期間に亘って、確実に保存することができる。
また、カートリッジデータ読取り装置は、各カートリッジのメモリチップに記憶されているデータを非接触で読み取ることができるので、各カートリッジを収容場所から出し入れすることなく、各カートリッジのメモリチップの情報を、効率よく、迅速に読み取ることができる。【０００９】
(２)  上記(１)項において、カートリッジにおける磁気テープの巻き直しを実行する際に、カートリッジから引き出されて走行する磁気テープの走行部分の雰囲気に、除電イオンを含む空気を供給する除電イオン供給装置を前記筐体に設ける。【００１０】
このような構成によると、磁気テープの巻き直し時に発生する静電気により、磁気テープに記録されているデータに悪影響を及ぼしたり、磁気テープに塵埃等の望ましくない微小粒子が付着したりするのを防止することができる。【００１１】
(３)  上記(１)または(２)項において、前記磁気テープドライブは、磁気テープのエラーチェックを行い、かつエラーチェックした履歴を、エラーチェックした前記磁気テープが収容されているカートリッジのメモリチップに記憶させる機能を有しており、前記カートリッジデータ読取り装置は、複数のカートリッジにおける各メモリチップに記憶されているエラーチェック履歴をも選択的に非接触で読み取ることができるようになっており、さらに、前記制御装置は、前記カートリッジデータ読取り装置が読み取ったエラーチェック履歴に含まれるエラーレートが予め定めた閾値を越えたことを判別し、その情報を出力する書き換え時期判別装置を有しているものとする。【００１２】
このような構成によると、エラーチェック履歴に含まれるエラーレートが予め定めた閾値を越えたことを判別することにより、その磁気テープが、保守または交換すべき状態となっていることを知ることができる。【００１３】
(４)  上記(３)項において、前記筐体内に、少なくとも２台の磁気テープドライブを設け、かつ前記制御装置に、前記書き換え時期判別装置の情報に基づいて、エラーチェック履歴が閾値を越えた磁気テープが収容されているカートリッジを一方の磁気テープドライブに装着し、他方の磁気テープドライブに、筐体内に予め保管しておいた未使用のカートリッジを装着し、一方の磁気テープドライブにより読み取った磁気テープのデータを、他方の磁気テープドライブに装着した未使用のカートリッジの磁気テープに書き込むように、前記カートリッジ搬送装置と前記２台の磁気テープドライブとを制御する書き換え制御装置を設ける。【００１４】
このような構成によると、磁気テープのエラーレートが上昇し、その磁気テープに記録されているデータが、使用できなくなる前に、そのデータを、未使用の新しいカートリッジの磁気テープに書き換えて、記録媒体を新しくすることにより、磁気テープの寿命を越えて、データの長期保存を可能とすることができる。【００１５】
(５)  上記(４)項において、前記書き換え制御装置に、エラーチェック履歴が閾値を越えた磁気テープが収容されているカートリッジにおけるメモリチップに記憶されているデータを、未使用のカートリッジにおけるメモリチップに、前世代の情報として記憶させる手段を設ける。【００１６】
このような構成によると、エラーレートの増加状況を、書き換え前のカートリッジ７まで遡って、正確に知ることができる。【００１７】
(６)  上記(１)〜(５)項のいずれかにおいて、前記筐体に、カートリッジを出し入れしうる出入口を設け、かつ前記カートリッジ搬送装置を、前記出入口に外部から挿入したカートリッジをカートリッジ収容部または磁気テープドライブまで搬送し、かつカートリッジ収容部に収容されているか、または磁気テープドライブに装着されているカートリッジを、前記出入口まで搬送し、そこから外部に排出させる機能を有するものとする。【００１８】
このような構成によると、筐体内のカートリッジ収容部に収容されているカートリッジを、必要に応じて、筐体外に出し入れしたり、交換したりすることができるとともに、書き換え済みの元のカートリッジを、磁気テープドライブまたはカートリッジ収容部から筐体外に排出したり、未使用の新しいカートリッジを、筐体外から、筐体内の磁気テープドライブまたはカートリッジ収容部に搬入したりすることができる。【００１９】
(７)  上記(１)〜(６)項のいずれかにおいて、前記カートリッジ収容部を、台板上に複数のカートリッジを左右方向に並べて収容するものとし、前記カートリッジ搬送装置を、前記カートリッジ収容部に収容された複数のカートリッジの上方または下方を左右方向に移動可能として前記筐体内に設けられた前後方向を向くスライドフレームと、前記スライドフレームを左右方向に移動させる左右移動装置と、前記スライドフレームに前後方向に移動可能として装着された摺動体と、前記摺動体をスライドフレームに沿って前後方向に移動させる前後移動装置と、前記摺動体に設けられ、かつ前記カートリッジ収容部に収容されている各カートリッジの表面に設けられた凹部に選択的に係脱しうる係合部材と、前記係合部材を、前記カートリッジの凹部に係合しうる係合位置と、前記凹部から離脱する非係合位置とに移動させる係脱駆動装置と、前記台板の後方に位置するようにして、前記スライドフレームと一体的に設けられ、かつ前記係合部材が凹部に係合して、前記台板より後方に移動させられたカートリッジを受支する移動受け部材とを備えているものとし、さらに、前記スライドフレームにおける前記カートリッジ収容部に収容されている各カートリッジのメモリチップに対向する部分に、前記カートリッジデータ読取り装置を設ける。【００２０】
このような構成によると、各カートリッジに設けられている凹部を利用して、そこに係合部材を係合させて、その係合部材を摺動体とともに前後移動装置により後方に移動させることにより、カートリッジを簡単に台板上から移動受け部材上に移載することができ、移動受け部材上に移載した状態で、スライドフレームを左右移動装置により、左右方向に移動させることによって、カートリッジを、左右方向に搬送することができる。
また、カートリッジの凹部に係合部材が係合している状態で、係合部材を摺動体とともに前後移動装置により前方に移動させることにより、移動受け部材上に載置されたカートリッジを、カートリッジ収容部における台板上に、簡単かつ迅速に移載させることができる。
さらに、カートリッジ搬送装置の構造を簡素化することができるとともに、製造コストを低減させることができる。【００２１】
(８)  上記(７)項において、前記係合部材を、前後方向を向く軸部と、その一端より前記軸部と直交する方向に突出する係合爪とを有するものとし、かつ前記軸部を前記係脱駆動装置により回動させることによって、前記係合爪が前記カートリッジに設けられた凹部に係合する係合位置と、前記係合爪が前記カートリッジの凹部から離脱する非係合位置とに移動可能とする。【００２２】
このような構成によると、係合部材を簡単な構造のものとすることができ、安価に製造することができるとともに、操作を簡略化することができる。【００２３】
(９)  上記(８)項において、前記筐体内における移動受け部材より後方に、前記磁気テープドライブを、そのカートリッジ装着口が前方を向くようにして配設し、前記係合部材を、前記軸部の他端より前記軸部と直交する方向で、かつ前記係合爪に対して前記軸部を中心として９０°以上の角度をなす方向に突出する押し爪をさらに有するものとし、さらに、前記係脱駆動装置を、前記係合爪が前記カートリッジの凹部から離脱した状態で、前記押し爪が前記カートリッジの前面に当接しうる押動可能位置まで、前記係合部材を回動させうるものとする。【００２４】
このような構成によると、移動受け部材上に載置されたカートリッジを、磁気テープドライブのカートリッジ装着口に整合させた後、係合部材の係合爪がカートリッジの凹部に係合している状態で、摺動体を後方に移動させることにより、カートリッジを、係合部材の係合爪が磁気テープドライブの前面に当接または近接するまで、磁気テープドライブのカートリッジ装着口に挿入することができ、その後、係脱駆動装置により、係合部材を押動可能位置まで回動させて、押し爪をカートリッジの前面に対峙させ、その状態で、摺動体をさらに後方に移動させることにより、カートリッジを、磁気テープドライブのカートリッジ装着口に、より深く挿入することができる。
また、カートリッジを磁気テープドライブのカートリッジ装着口に挿入した後、係合部材の押し爪を、カートリッジ装着口に当接または近接する位置に停止させたままとすることにより、カートリッジがカートリッジ装着口から飛び出すのを防止することができる。すなわち、押し爪を、カートリッジの飛び出し防止用のストッパとすることができる。
【発明の効果】
【００２５】
本発明によると、データを記録した磁気テープ、ひいてはそこに記録されているデータを、小スペース内において、簡単な構造で、安価に、長期間に亘って、確実に保存しうるようにした磁気テープ保管装置を提供することができる。
【図面の簡単な説明】
【００２６】
【図１】本発明の磁気テープ保管装置の第１の実施形態の正面図である。
【図２】図１のII−II線における横断平面図である。
【図３】図２のIII−III線における縦断側面図である。
【図４】本発明の磁気テープ保管装置に収容するカートリッジの一例を示す一部破断斜視図である。
【図５】第１の実施形態における摺動体を引き出し位置まで移動させたときのカートリッジ搬送装置の一部の斜視図である。
【図６】第１の実施形態におけるカートリッジ搬送装置の係合部材とその関連構成との分解斜視図である。
【図７】図５のVII−VII線における拡大縦断正面図である。
【図８】第１の実施形態における摺動体をドライブ装着位置まで移動させたときの係合部材とその関連構成との拡大側面図である。
【図９】本発明の磁気テープ保管装置の第１の実施形態における電気系統のブロック図である。
【図１０】本発明の磁気テープ保管装置の第１の実施形態における基本的な作動態様を示すフローチャートである。
【図１１】同じく、磁気テープの巻き直しを行う際の作動態様を示す第１のフローチャートである。
【図１２】同じく、磁気テープの巻き直しを行う際の作動態様を示す第２のフローチャートである。
【図１３】同じく、磁気テープの書き換えを行う際の作動態様を示すフローチャートである。
【図１４】本発明の磁気テープ保管装置の第２の実施形態を示す、図３と同様の縦断側面図である。
【発明を実施するための形態】
【００２７】
以下、本発明の磁気テープ保管装置の第１の実施形態を、図１〜図１３を参照して詳細に説明する。
【００２８】
図１〜図３に示すように、この磁気テープ保管装置は、密閉箱状の筐体１を備えている。
筐体１は、前面板２、後面板３、上面板４、底板５および左右の側面板６、６よりなっている。
【００２９】
前面板２の右下部には、カートリッジ７出入用の出入口８が設けられており、この出入口８は、カートリッジ７を出入するとき以外は、自閉式の閉塞板９により閉塞されている。
【００３０】
カートリッジ７は、図４に示すように、箱型のケース１０内に、ＬＴＯ(リニア テープ オープン)の磁気テープ１１を、リール(図示略)に巻回した状態で収容し、その巻き終わり端部１１ａを、その先端部に止着したリーダーピン１１ｂとともに、ケース１０の一部に設けたテープアクセスゲート１２より引き出して使用できるようになっている。
【００３１】
ケース１０におけるラベル添付面である正面１０ａの一部には、ＩＣチップのような非接触で読み取りおよび書き込み可能のメモリチップ１３が埋設されており、正面１０ａの他部には、書き込み禁止用のライトプロテクトスイッチ１４が設けられている。
【００３２】
カートリッジ７を図４に示すように起立させたときの、ケース１０の上下の端部における前方寄りの部分には、上下面と一側面とに開口する前後２個の方形の凹部１０ｂ、１０ｂ、が設けられている。
【００３３】
図１に示すように、筐体１における前面板２の右上部には、液晶タッチパネルよりなる操作盤１５が設けられている。この操作盤１５により、すべての操作が行われる。
【００３４】
図２および図３に示すように、筐体１内には、複数のカートリッジ７を左右方向に並べて収容するカートリッジ収容部１６と、カートリッジ７における磁気テープ１１の読み取り、書き込み、および巻き直しを行う複数台の磁気テープドライブ(ＬＴＯドライブ)１７と、カートリッジ収容部１６に収容されている複数のカートリッジ７を、選択的にいずれかの磁気テープドライブ１７に移送および元位置に返送するカートリッジ搬送装置１８と、カートリッジ搬送装置１８に設けられ、かつカートリッジ収容部１６に収容されている複数のカートリッジ７における各メモリチップ１３に記憶されているデータを選択的に非接触で読み取ることのできるカートリッジデータ読取り装置１９と、カートリッジデータ読取り装置１９により読み取られたデータに基づいて、巻き直しを必要とするカートリッジ７を割り出し、割り出されたカートリッジ７における磁気テープ１１の巻き直しを実行するように、磁気テープドライブ１７およびカートリッジ搬送装置１８を制御する制御装置としてのコンピュータ２０と、電源装置２１とが設けられている。
【００３５】
各カートリッジ７におけるメモリチップ１３には、該カートリッジ７の製造年月日、書き込み履歴、読み取り履歴、消去履歴、巻き直し履歴、エラーチェック履歴およびそのときのエラーレート等のデータが記憶されるようになっている。
また、このメモリチップ１３には、他のカートリッジ７の磁気テープ１１に記録されていたデータを書き換えた(ダビングした)際における、前世代のカートリッジ７(上記他のカートリッジ７)におけるメモリチップ１３に記憶されているデータも、前世代の情報として記憶される。
【００３６】
また、各カートリッジ７におけるメモリチップ１３には、カートリッジデータ読取り装置１９により、そのメモリチップ１３の記憶内容を読み取り、その読み取ったデータをコンピュータ２０において検査し、その検査結果と検査した年月日等の検査履歴をも記憶させるものとし、カートリッジデータ読取り装置１９は、その検査履歴やその他のデータを対峙しているカートリッジ７におけるメモリチップ１３に書き込む機能をも有している。
これによって、カートリッジデータ読取り装置１９をカートリッジ７におけるメモリチップ１３に対峙させて、そのメモリチップ１３のデータを読み取った直後に、その検査結果や検査した年月日等を、対峙させたままのメモリチップ１３に即座に書き込むことができる。
【００３７】
筐体１内の前部に配設されたカートリッジ収容部１６は、複数のカートリッジ７を左右方向に並べて支持する水平の台板２２と、その前端より起立する前面板２３と、その上端より後方を向く上面板２４と、台板２２の両側部より起立する両側板２５、２５とからなる、後面が開放した収容ボックス２６と、台板２２上に立設され、かつ収容ボックス２６内を、１個毎のカートリッジ７収容スペースに左右方向に区画する複数の仕切板２７とからなっている。
【００３８】
上面板２４における前端近傍から後端にかけては、各カートリッジ７収容スペース毎に、後述する係合部材３４の係合爪５１が挿通しうるスリット２４ａがそれぞれ設けられている。
【００３９】
台板２２には、各カートリッジ７をカートリッジ収容部１６の正規の収容位置に収容したとき、各カートリッジ７の下面における前後いずれかの凹部１０ｂに弾性係合して、各カートリッジ７が、地震時等においてもカートリッジ収容部１６から脱落するのを防止するようにした弾性係合爪(図示略)を設けるのが好ましい。
【００４０】
筐体１内における収容ボックス２６の一側方で、かつ前面板２における出入口８の後方には、ローディングボックス２８が配設されている。
このローディングボックス２８の上面には、収容ボックス２６の上面板２４におけるスリット２４ａと同様のスリット２８ａが設けられている。
このローディングボックス２８は、収容ボックス２６と一体的に形成することもある。
【００４１】
筐体１内の後部には、３台の磁気テープドライブ１７が、前方の収容ボックス２６よりカートリッジ７のほぼ１個分の空間を隔てて設けられている。
そのうちの１台は、磁気テープ１１の巻き直し専用機とすることもある。また、磁気テープドライブ１７は、２台、または４台以上とすることもある。
【００４２】
各磁気テープドライブ１７は、前面にカートリッジ装着口１７ａを有し、カートリッジ７における磁気テープ１１の読み取り、書き込み、および巻き直しを行うだけでなく、装着されたカートリッジ７における磁気テープ１１のエラーチェックを行い、かつエラーチェックした履歴、具体的には、そのときのエラーレートおよびエラーチェックした年月日等を、エラーチェックした磁気テープ１１が収容されているカートリッジ７のメモリチップ１３に記憶させる機能を有している。
【００４３】
さらに、各磁気テープドライブ１７は、そこに未使用のカートリッジ７を装着しておき、その磁気テープ１１に、他の磁気テープドライブ１７に装着したカートリッジ７における磁気テープ１１を読み取った情報を書き込み、すなわちデータの書き換えを行い、そのときの読み取り情報と書き込み情報との比較から得られたエラーレートを、未使用のカートリッジ７のメモリチップ１３に記憶させるだけでなく、他方の磁気テープドライブ１７に装着したカートリッジ７におけるメモリチップ１３に記憶されているデータをも、前世代の情報として記憶させる機能をも有している。
【００４４】
カートリッジ搬送装置１８は、カートリッジ収容部１６に収容された複数のカートリッジ７の上方を左右方向に移動可能として筐体１内に設けられ、かつ前端に、カートリッジ収容部１６の前面に対向するようにして垂下する前片２９を有する前後方向を向くスライドフレーム３０と、このスライドフレーム３０を左右方向に移動させる左右移動装置３１と、スライドフレーム３０に前後方向に移動可能として装着された摺動体３２と、この摺動体３２をスライドフレーム３０に沿って前後方向に移動させる前後移動装置３３と、摺動体３２に設けられ、かつカートリッジ収容部１６に収容された各カートリッジ７の上面に設けられた凹部１０ｂに選択的に係脱しうる係合部材３４と、この係合部材３４を、カートリッジ７の凹部１０ｂに係合しうる係合位置と、凹部１０ｂから離脱する非係合位置とに移動させる係脱駆動装置３５と、台板２２の後方に位置し、かつ３台の磁気テープドライブ１７の前方に位置するようにして、スライドフレーム３０と一体的に設けられ、かつ係合部材３４が凹部１０ｂに係合して、台板２２より後方に移動させられたカートリッジ７を受支する移動ボックス３６とを備えている。
移動ボックス３６の下部は、スライドフレーム３０と一体的に左右方向に移動しうるようにした移動受け部材３７をなしている。
【００４５】
スライドフレーム３０の前片２９における、カートリッジ収容部１６に収容されている各カートリッジ７のメモリチップ１３に対向する部分に、そのメモリチップ１３に記憶されているデータを非接触で読み取ったり、そのメモリチップ１３に他の情報を書き込んだりするカートリッジデータ読取り装置１９が設けられている。
【００４６】
スライドフレーム３０と一体となった移動ボックス３６の底面には、左右方向を向く前後１対の摺動筒３８、３８が設けられており、これらの摺動筒３８、３８が、筐体１における左右の側板２５、２５間に架設した前後１対のガイドロッド３９、３９に外嵌して、左右方向に摺動することにより、スライドフレーム３０と移動ボックス３６とは、左右方向に円滑に移動できるように案内されている。
【００４７】
移動ボックス３６の底面における前後の摺動筒３８、３８間には、筐体１内の両側部に配設した左右１対のプーリ４０、４０に掛け回された無端のタイミングベルト４１の一部が止着されている。
前後方向を向く各プーリ４０の軸４０ａは、軸受部材４２をもって筐体１内に枢支されており、その一方の軸４０ａを、筐体１内に設けたステッピングモータ等の回転角度制御可能のモータ４３の回転軸４３ａに結合することにより、タイミングベルト４１は、モータ４３の回転力によって無端回走させられ、その一部に止着された移動ボックス３６およびスライドフレーム３０は、左右方向に移動させられるようになっている。
このモータ４３、プーリ４０、４０、およびタイミングベルト４１により、また広い意味では、摺動筒３８、３８およびガイドロッド３９、３９からなるガイド手段を含めて、左右移動装置３１が形成されている。
【００４８】
スライドフレーム３０には、前端近傍から後端に至る前後方向を向くスリット４４(図２および図７参照)が設けられている。このスリット４４には、摺動体３２における上下方向を向く基片３２ａが、前後方向に摺動自在に嵌合されている。
【００４９】
図７に示すように、スライドフレーム３０より上方に突出する摺動体３２における基片３２ａの上端には、正面視Ｌ字状の取付片３２ｂが連設されており、スライドフレーム３０より垂下する基片３２ａの下端部前後縁には、図６および図７に示すように、一側方を向く前片３２ｃおよび後片３２ｄが連設されている。
【００５０】
摺動体３２における取付片３２ｂの上部には、スライドフレーム３０の上面の前後部に配設した前後１対のプーリ４５、４５に掛け回されたタイミングベルト４６の一部が止着されている。
【００５１】
前方のプーリ４５は、スライドフレーム３０の前部上面に突設した上下方向を向く軸４７に枢支されており、後方のプーリ４５は、スライドフレーム３０の後端部に設けたモータ支持板４８上に支持されたステッピングモータ等の回転角度制御可能のモータ４９における、上記モータ支持板４８を貫通して下向きに突出する回転軸４９ａ(図７参照)の下端部に固嵌されている。
【００５２】
前後のプーリ４５、４５に掛け回されたタイミングベルト４６は、モータ４９の回転力によって無端回走させられ、その一部に止着された摺動体３２は、前後方向に移動させられるようになっている。
このモータ４９、プーリ４５、４５、タイミングベルト４６により、また広い意味では、スリット４４からなるガイド手段を含めて、前後移動装置３３が形成されている。
【００５３】
係合部材３４は、前後方向を向く軸部５０と、その後端より軸部５０と直交する方向に突出する係合爪５１と、軸部５０の前端より軸部５０と直交する方向で、かつ係合爪５１に対して軸部５０を中心として９０°以上の角度、この例では１８０°の角度をなす方向に突出する押し爪５２とからなっており、摺動体３２における前片３２ｃと後片３２ｄとの間に、前後方向を向く軸５３をもって枢支され、かつ後片３２ｄの後面に取付けられた、係脱駆動装置３５をなすステッピングモータ等の回転角度制御可能のモータ５４によって回転させられるようになっている。
【００５４】
係合部材３４は、係合爪５１が下方を向いて、カートリッジ収容部１６に収容されている各カートリッジ７に設けられた凹部１０ｂに係合しうる係合位置と、係合爪５１がほぼ水平方向を向いて、カートリッジ７の凹部１０ｂから離脱する非係合位置と、係合爪５１が上方を向き、かつ押し爪５２が下方を向いて、押し爪５２がカートリッジ７の前面に当接しうる押動可能位置とに、モータ５４によって回動させられるようになっている。
【００５５】
係合部材３４における軸部５０の長さ、すなわち、係合爪５１と押し爪５２との前後間隔は、カートリッジ７の前面と前方の凹部１０ｂとの間の距離とほぼ等しくしてあり、図８に実線で示すように、係合部材３４が係合位置に位置し、係合爪５１がカートリッジ７の前方の凹部１０ｂと係合している状態から、係合部材３４をモータ５４により、図８に２点鎖線で示すように、押動可能位置まで回動させると、係合爪５１がカートリッジ７の前方の凹部１０ｂから離脱し、かつ押し爪５２がカートリッジ７の前面に当接するか、またはその前方において近接するようになっている。
【００５６】
摺動体３２は、モータ４９の作動により、図３に実線で示すように、カートリッジ収容部１６に収容されている各カートリッジ７の上面における前方の凹部１０ｂに係合爪５１が係脱しうる前限位置と、係合爪５１が上記凹部１０ｂに係合している状態で、カートリッジ７が移動ボックス３６内に位置する(図３の２点鎖線参照)引き出し位置と、カートリッジ７を、いずれかの磁気テープドライブ１７のカートリッジ装着口１７ａに装着させる、図８に実線で示すドライブ装着位置と、押し爪５２をカートリッジ７の前面に当接させて、カートリッジ７を磁気テープドライブ１７のカートリッジ装着口１７ａ内に押し込む押込み位置(図示略)とに移動可能となっている。
摺動体３２の各位置の検出手段については、公知のものでよいので、その図示および詳細な説明を省略してある。
【００５７】
このカートリッジ搬送装置１８により、カートリッジ収容部１６内に収容された各カートリッジ７は、そこから取り出されて、いずれかの磁気テープドライブ１７に装着されたり、いずれかの磁気テープドライブ１７から取り出されて、カートリッジ収容部１６内の元の場所に戻されたりする。
また、カートリッジ搬送装置１８は、出入口８からローディングボックス２８に装着されたカートリッジ７を、カートリッジ収容部１６内の特定の場所や、いずれかの磁気テープドライブ１７まで搬送したり、カートリッジ収容部１６内に収容されたカートリッジ７や、いずれかの磁気テープドライブ１７から排出されたカートリッジ７を、ローディングボックス２８まで搬送したりすることができる。
その具体的な作用および作動態様については後述する。
【００５８】
筐体１の後面には、空気清浄機５５が、その前面下部に設けた下向フック５６を、筐体１の後面板３に設けた受け金具５７に係合させた状態で、空気清浄機５５の前上部に左右方向を向く軸５８をもって枢着された左右１対のフック５９を、筐体１の後部に設けた左右方向を向く有頭係合軸６０に係止させることにより、着脱可能として設けられている。この空気清浄機５５は、筐体１内に設けることもある。
【００５９】
空気清浄機５５は、筐体１の後面に装着したとき、筐体１の後面板３に設けた排気口６１に接続される吸込口６２と、同じく筐体１の後面板３に設けた清浄空気取入れ口６３に接続される吹出口６４とを有し、図３に模式的に示すように、ファン６５により、吸込口６２から取り込んだ空気を、各種フィルタ６６、温度および湿度を設定した値に保つ温湿度調整装置６７および除電イオン供給装置６８を順次通して、吹出口６４から筐体１内に送給するようになっている。
【００６０】
筐体１内の清浄空気取入れ口６３には、空気清浄機５５から供給される、除電イオンを含む清浄な空気の一部を、各磁気テープドライブ１７に導く分岐ダクト６９を設け、磁気テープドライブ１７において、カートリッジ７における磁気テープ１１の巻き直しを実行する際に、カートリッジ７から引き出されて走行する磁気テープ１１の走行部分の雰囲気に、除電イオンを含む清浄な空気を直接供給するようにし、清浄空気取入れ口６３における分岐ダクト６９以外の部分から、残りの清浄な空気を筐体１内に直接供給するようにするのが好ましい。
【００６１】
除電イオン供給装置６８は、空気清浄機５５から独立して、筐体１内に設けることもある。
また、分岐ダクト６９は、省略して実施することもある。
【００６２】
次に、図９に示すブロック図に基づいて、磁気テープ保管装置の第１の実施形態における電気系統について説明する。
制御装置であるコンピュータ２０の入力側は、操作盤１５、カートリッジデータ読取り装置１９および電源装置２１とに接続されている。
また、コンピュータ２０の出力側は、カートリッジ搬送装置１８(具体的には、モータ４３、４９、５４および各移動部材の位置を検出する、図示を省略した各種センサ)、および各磁気テープドライブ１７(具体的には、それらの内部制御装置)とに接続されている。
【００６３】
コンピュータ２０は、その機能を図９に模式的に示すように、主制御回路７０と、それに接続されたタイマ７１およびメモリ７２と、一定周期、例えば月または週に１度等の間隔とした検査日時に、カートリッジ収容部１６に収容されているすべてのカートリッジ７の検査を行う定期検査回路７３と、操作盤１５の操作により入力された指令に従って、その指令内容を個別に実行する個別制御回路７４とを備えている。
なお、コンピュータ２０内における主制御回路７０、定期検査回路７３、個別制御回路７４、並びに後述する巻き直し時期判別回路７５、書き換え時期判別回路７６、巻き直し実行回路７７、書き換え実行回路７８は、それぞれ「回路」という名称を付してあるが、具体的な回路構成を有するものではなく、コンピュータ２０内における特定の機能を表現したものであり、実際には、ＣＰＵ内に渾然一体となって存在するものである。
【００６４】
定期検査回路７３は、タイマ７１の経時が検査日時に到来したことを主制御回路７０が検出したときに作動させられ、カートリッジ搬送装置１８を作動させて、そのスライドフレーム３０の前片２９に設けられたカートリッジデータ読取り装置１９を、カートリッジ収容部１６に収容されている第１番目のカートリッジ７のメモリチップ１３に対峙する位置まで移動させ、そのメモリチップ１３に記憶されているデータを読み取り、そのデータから、そのカートリッジ７がテープの巻き直し時期に来ているか否かを、巻き直し時期判別回路７５により判別させたり、そのカートリッジ７のエラーレートが、書き換えを必要とする閾値に達しているか否かを、書き換え時期判別回路７６により判別させたりするとともに、検査結果を第１番目のカートリッジ７のメモリチップ１３に新たに書き込み、それと同様の作業を、第２番目から最終番目のカートリッジ７に、順次行わせる。
【００６５】
巻き直し実行回路７７は、巻き直し時期判別回路７５が、検査中のあるカートリッジ７が巻き直し時期に来ていると判別したときに作動させられ、上記カートリッジ７の巻き直し作業を自動的に行うように、カートリッジ搬送装置１８と、いずれかの磁気テープドライブ１７とを制御するためのものである。その具体的な作用については後述する。
【００６６】
上記カートリッジ７の巻き直し作業が行われたときは、その巻き直し作業を行った磁気テープドライブ１７か、または巻き直し作業を終えて、カートリッジ収容部１６における元の収容位置に戻されたときに対峙しているカートリッジデータ読取り装置１９かのどちらかにより、その巻き直し実行記録が、上記カートリッジ７のメモリチップ１３に新たに書き込まれるようになっている。
【００６７】
書き換え実行回路７８は、書き換え時期判別回路７６が、検査中のあるカートリッジ７のエラーレートが、書き換えを必要とする閾値に達していると判別したときに作動させられ、上記カートリッジ７の書き換え作業を自動的に行うように、カートリッジ搬送装置１８と、いずれか２台の磁気テープドライブ１７、１７とを制御するためのものである。その具体的な作用については後述する。
【００６８】
上記カートリッジ７の書き換え作業が行われたときは、その未使用の新たなカートリッジ７のメモリチップ１３には、他の磁気テープドライブ１７に装着した書き換え前のカートリッジ７における磁気テープ１１の読み取り情報と、新たなカートリッジ７の磁気テープ１１への書き込み情報との比較から得られたエラーレートだけでなく、書き換え前のカートリッジ７におけるメモリチップ１３に記憶されているデータも、前世代の情報として記憶されるようになっている。
【００６９】
以上の回路構成のうち、書き換え時期判別回路７６は、カートリッジデータ読取り装置１９が読み取ったエラーチェック履歴に含まれるエラーレートが予め定めた閾値を越えたことを判別し、その情報を出力する書き換え時期判別装置をなし、それを含むコンピュータ２０は、書き換え制御装置をなしている。
【００７０】
次に、図９に示すブロック図と、図１０〜図１３に示すフローチャートとに基づいて、第１の実施形態における基本的な作用について説明する。
図１０に示すように、タイマー７１の現在時刻が、予め定めた検査日時に達すると(S1)、定期検査回路７３が作動させられる(S2)。
【００７１】
すると、カートリッジ搬送装置１８における左右移動装置３１のモータ４３が作動させられ(S3)、スライドフレーム３０が左右方向に移動させられ、スライドフレーム３０が、カートリッジ収容部１６内に収容されている予め定めた第１番目のカートリッジ７に整合する第１目的位置に到達すると(S4)、モータ４３の作動が停止させられる(S5)。
【００７２】
このときの位置決めは、例えば収容ボックス２６の前面板２３における各カートリッジ７に対応する位置に、第１番目〜第Ｎ番目を示すバーコード(図示略)を添付し、それに対向するスライドフレーム３０における前片２９の後面にバーコードリーダ(図示略)を設けておき、このバーコードリーダにより、バーコードを非接触で読むことにより行ってもよく、またはリニアエンコーダ(図示略)等のその他の位置決め手段により行ってもよい。
なお、その他の移動部材の位置検出手段については、説明を簡略化するため、図示および説明を省略してある。
【００７３】
モータ４３の作動が停止させられた後(S5)、カートリッジデータ読取り装置１９により、それに対峙している(収容ボックス２６の前面板２３を介しているが)カートリッジ７のメモリチップ１３に記憶されているデータが読み取られる(S6)。
【００７４】
カートリッジデータ読取り装置１９により読み取られたデータは、主制御回路７０に送られ、データの解析が行われた後、そこに記憶されている最後の巻き直し年月日から現在時刻までが、予め定めた巻き直し期間を経過しているか否かが、巻き直し時期判別回路７５において判別され(S7)、巻き直し期間を経過している場合は、操作盤１５に巻き直し必要表示をした後(S8)、巻き直し実行回路７７が作動させられ、巻き直し作業が開始される(S9)。
巻き直し実行回路７７の作動による具体的な巻き直し作業の流れについては、図１１および図１２に基づいて、後に説明する。
【００７５】
ステップ(S7)において、巻き直し期間を経過していない場合は、書き換え時期判別回路７６において、書き換え時期が到来しているか否かが判別される(S10)。
【００７６】
書き換え時期判別回路７６においては、上記データに含まれるエラーチェック履歴における最後のエラーレートが、予め定めた閾値を越えているか否かが判別され、閾値を越えている場合は、書き換え時期が到来しているとして、操作盤１５に書き換え必要表示をした後(S11)、書き換え実行回路７８が作動させられ、書き換え作業が開始される。
書き換え実行回路７８の作動による具体的な書き換え作業の流れについては、図１３に基づいて、後に説明する。
【００７７】
ステップ(S10)において、最後のエラーレートが閾値を越えていない場合は、他のチェックポイントに問題がないか否かが判別され(S13)、問題が生じている場合は、その問題点を操作盤１５に表示した後(S14)、問題解決作業が開始される(S15)。
【００７８】
ステップ(S13)において、他のチェックポイントに問題がなかった場合は、今回の検査結果を操作盤１５に表示した後(S16)、その検査結果を、カートリッジデータ読取り装置１９より、それに対峙しているカートリッジ７のメモリチップ１３に新たに書き込み(S17)、第１番目のカートリッジ７の定期検査を終了する(S18)。
【００７９】
その後、再度モータ４３を作動させて(S19)、スライドフレーム３０を第２番目のカートリッジ７に整合する第２目的位置に移動させ(S20)、上記と同様の作業を行い、以下同様にして、スライドフレーム３０を第３番目〜第Ｎ番目のカートリッジ７に整合する第３〜第Ｎ目的位置に移動させて、上記と同様の作業を行い、第Ｎ番目のカートリッジ７の定期検査が終了すると(S21)、検査結果をメモリ７２に記憶させて(S22)、定期検査を終了する。
【００８０】
ステップ(S9)において、巻き直し実行回路７７が作動させられると、図１１に示すように、係脱駆動装置３５におけるモータ５４が作動させられ(S31)、係合部材３４が、その係合爪５１が下方を向く係合位置に達すると(S32)、モータ５４の作動が停止させられる(S33)。
【００８１】
このとき、摺動体３２は前限位置に位置しており、係合爪５１が係合位置に達すると、係合爪５１は、その直下のカートリッジ７の上面における前方の凹部１０ｂに係合する。
【００８２】
次いで、前後移動装置３３におけるモータ４９が後進作動させられ(S34)、摺動体３２が後進させられて、引き出し位置に達すると(S35)、モータ４９の後進作動が停止させられる(S36)。
この間に、カートリッジ７は、凹部１０ｂに係合爪５１が係合した状態で、摺動体３２とともに後進させられ、収容ボックス２６から移動ボックス３６に移載させられる。
【００８３】
続いて、左右移動装置３１におけるモータ４３が作動させられ(S37)、スライドフレーム３０が、左右方向に移動させられて、予め定めた磁気テープドライブ１７に対向する位置に到達すると(S38)、モータ４３の作動が停止させられ(S39)、スライドフレーム３０はその位置で停止させられる。
【００８４】
次いで、前後移動装置３３におけるモータ４９が再度後進作動させられ(S40)、摺動体３２が後進させられて、ドライブ装着位置に達すると(S41)、モータ４９の後進作動が停止させられる(S42)。
この間に、カートリッジ７は、移動ボックス３６内から、磁気テープドライブ１７のカートリッジ装着口１７ａへ挿入させられる。
【００８５】
次いで、係脱駆動装置３５におけるモータ５４が作動させられ(S43)、係合部材３４が、その押し爪５２が下方を向く押動可能位置に達すると(S44)、モータ５４の作動が停止させられる(S45)。
この間に、係合部材３４における係合爪５１は、上方を向いて、カートリッジ７の凹部１０ｂから離脱し、それとは逆に、押し爪５２は下方を向いて、カートリッジ７の前面に対向する。
【００８６】
この状態から、前後移動装置３３におけるモータ４９が再度後進作動させられ(S46)、摺動体３２が後進させられると、カートリッジ７は、その前面が押し爪５２により後方に押動されて、カートリッジ装着口１７ａ内に押し込まれ、摺動体３２が押込み位置に達すると(S47)、モータ４９の後進作動が停止させられる(S48)。
【００８７】
このとき、押し爪５２は、磁気テープドライブ１７のカートリッジ装着口１７ａに当接するか、または近接する位置に停止しており、万一の地震時等におけるカートリッジ装着口１７からのカートリッジ７の飛び出しを防止することができる。
【００８８】
その後、図１２に示すように、磁気テープドライブ１７において、カートリッジ７の磁気テープ１１巻き直し作業が行われるが(S49)、その作業は公知のものと同一でよいので、詳細な説明は省略する。
【００８９】
磁気テープドライブ１７における巻き直し作業が終了すると、前後移動装置３３におけるモータ４９が前進作動させられ(S50)、摺動体３２がドライブ装着位置に達すると(S51)、モータ４９の前進作動が停止させられる(S52)。
【００９０】
次いで、磁気テープドライブ１７のカートリッジ装着口１７ａから、巻き直し作業を終えたカートリッジ７が排出され(S53)、そのカートリッジ７の前面が押し爪５２に当接した後、係脱駆動装置３５におけるモータ５４が作動させられ(S54)、係合部材３４が、その係合爪５１が下方を向く係合位置に達すると(S55)、モータ５４の作動が停止させられる(S56)。
この間に、係合部材３４における押し爪５２は上方を向いて、カートリッジ７の前面から離れ、それとは逆に、係合爪５０は、下方を向いて、カートリッジ７の凹部１０ｂに係合する。
【００９１】
次いで、前後移動装置３３におけるモータ４９が前進作動させられ(S57)、摺動体３２が前進させられ、それに伴ってカートリッジ７も前進させられて、移動ボックス３６内に収容され、摺動体３２が引き出し位置に達すると(S58)、モータ４９の前進作動が停止させられる(S59)。
【００９２】
その後、上記ステップ(S34)〜(S39)と逆の経路を辿って、すなわち、スライドフレーム３０が、左右移動装置３１の作動により、支持しているカートリッジ７の収容ボックス２６における元の収容位置に整合する位置まで左右方向に移動させられた後、支持しているカートリッジ７が、前後移動装置３３の作動により、収容ボックス２６における元の収容位置に戻され(S60)、その後、係脱駆動装置３５におけるモータ５４が作動させられ(S61)、係合部材３４が、その係合爪５１が水平方向を向く非係合位置に達して(S62)、モータ５４の作動が停止させられる(S63)ことにより、巻き直し作業が終了し、ステップ(S10)に戻る。
【００９３】
ステップ(S12)において、書き換え実行回路７８が作動させられると、図１３に示すように、書き換えを必要とするカートリッジ(以下、旧カートリッジという)７が、ステップ(S31)〜(S49)と同様にして、収容ボックス２６から第１の磁気テープドライブ１７に装着され(S71)、次いで、収容ボックス２６における他の場所か、またはローディングボックス２８に装着された未使用の新たなカートリッジ(以下、新カートリッジという)７が、ステップ(S31)〜(S49)と同様にして、第２の磁気テープドライブ１７に装着され(S72)、書き換え作業が開始される(S73)。
【００９４】
この書き換え作業は、第１の磁気テープドライブ１７に装着された旧カートリッジ７の磁気テープ１１に記録されているデータを読み取って、そのまま第２の磁気テープドライブ１７に装着された新カートリッジ７の磁気テープ１１に記録することにより行われ、書き換え作業が終了すると(S74)、そのときの第１の磁気テープドライブ１７による読み取り情報と、第２の磁気テープドライブ１７による書き込み情報との比較からエラーレートが検出され(S75)、そのエラーレートが新カートリッジ７のメモリチップ１３に記憶されるだけでなく、旧カートリッジ７におけるメモリチップ１３に記憶されているエラーレート履歴を含むデータをも、前世代の情報として記憶させられる(S76)。
【００９５】
新カートリッジ７のメモリチップ１３への書き込み作業が終了すると(S77)、新カートリッジ７は、カートリッジ搬送装置１８により、収容ボックス２６における旧カートリッジ７が収容されていた元の場所に戻され(S78)、旧カートリッジ７は、カートリッジ搬送装置１８により、ローディングボックス２８に搬送され(S79)、そこから筐体１の出入口８を通して、筐体１外へ排出され、書き換え作業が終了し、ステップ(S13)に戻る。
【００９６】
各カートリッジ７のエラーチェックの方法に関しては、公知の方法と同様でよいので、その説明は省略する。
【００９７】
以上から明らかなように、第１の実施形態によると、適時に、または予め定めた周期で、カートリッジ搬送装置１８を作動させて、そこに設けたカートリッジデータ読取り装置１９により、カートリッジ収容部１６に収容されている各カートリッジ７のメモリチップ１３に記憶されているデータを非接触で読み取り、そのデータに基づいて、コンピュータ２０において、巻き直しを必要としているカートリッジ７が割り出されると、そのカートリッジ７がカートリッジ搬送装置１８により磁気テープドライブ１７まで搬送され、そこでそのカートリッジ７内の磁気テープ１１が自動的に巻き直される。
【００９８】
この巻き直しにより、カートリッジ７内の磁気テープ１１は、蓄積されていたストレスが解放され、かつ一旦筐体１内の雰囲気に曝されて活性化されることにより、耐久性が増す。
それによって、貴重なデータが記録されている磁気テープ１１、ひいてはそこに記録されているデータを、小スペース内において、安価に、長期間に亘って、確実に保存することができる。
また、カートリッジデータ読取り装置１９は、各カートリッジ７のメモリチップ１３に記憶されているデータを非接触で読み取ることができるので、各カートリッジ７を収容場所から出し入れすることなく、各カートリッジ７のメモリチップ１３の情報を、効率よく、迅速に読み取ることができる。
【００９９】
筐体１には、カートリッジ７における磁気テープ１１の巻き直しを実行する際に、カートリッジ７から引き出されて走行する磁気テープ１１の走行部分の雰囲気に、除電イオンを含む空気を供給する除電イオン供給装置６８が設けられているので、磁気テープ１１の巻き直し時に発生する静電気により、磁気テープ１１に記録されているデータに悪影響を及ぼしたり、磁気テープ１１に塵埃等の望ましくない微小粒子が付着したりするのを防止することができる。
【０１００】
書き換え時期判別回路７６により、エラーチェック履歴に含まれるエラーレートが予め定めた閾値を越えたことを判別することによって、その磁気テープ１１が、保守または交換すべき状態となっていることを知ることができる。
【０１０１】
また、書き換え実行回路７８により、磁気テープ１１に記録されているデータが、使用できなくなる前に、そのデータを、未使用の新しいカートリッジ７の磁気テープ１１に自動的に書き換えて、記録媒体を新しくすることができ、磁気テープ１１の寿命を越えて、データの長期保存を可能とすることができる。
【０１０２】
書き換え作業を行った際には、新たなカートリッジ７におけるメモリチップ１３に、書き換え時のエラーレートとともに、書き換え前のカートリッジ７におけるメモリチップ１３に記憶されていた情報も、前世代の情報として記憶されるので、エラーレートの増加状況を、書き換え前のカートリッジ７まで遡って、正確に知ることができる。
【０１０３】
筐体１に、カートリッジ７を出し入れしうる出入口８を設け、かつカートリッジ搬送装置１８を、出入口８に外部から挿入したカートリッジ７をカートリッジ収容部１６または磁気テープドライブ１７まで搬送し、かつカートリッジ収容部１６に収容されているか、または磁気テープドライブ１７に装着されているカートリッジ７を、出入口８まで搬送し、そこから外部に排出させることができるようにしてあるので、筐体１内のカートリッジ収容部１６に収容されているカートリッジ７を、必要に応じて、筐体１外に出し入れしたり、交換したりすることができるとともに、書き換え済みの元のカートリッジ７を、磁気テープドライブ１７またはカートリッジ収容部１６から筐体１外に排出したり、未使用の新しいカートリッジ７を、筐体１外から、筐体１内の磁気テープドライブ１７またはカートリッジ収容部１６に搬入したりすることができる。
【０１０４】
カートリッジ搬送装置１８を、上記のような構成としてあるので、各カートリッジ７に設けられている凹部１０ｂを利用して、そこに係合部材３４を係合させて、その係合部材３４を摺動体３２とともに前後移動装置３３により後方に移動させることにより、カートリッジ７を簡単に台板２２上から移動受け部材３７上に移載することができ、移動受け部材３７上に移載した状態で、スライドフレーム３０を左右移動装置３１により、左右方向に移動させることによって、カートリッジ７を、左右方向に搬送することができる。
また、カートリッジ７の凹部１０ｂに係合部材３４が係合している状態で、係合部材３４を摺動体３２とともに前後移動装置３３により、前方に移動させることにより、移動受け部材３７上に載置されたカートリッジ７を、カートリッジ収容部１６における台板２２上に、簡単かつ迅速に移載させることができる。
さらに、カートリッジ搬送装置１８の構造を簡素化することができるとともに、製造コストを低減することができる。
【０１０５】
係合部材３４を、前後方向を向く軸部５０と、その一端より軸部５０と直交する方向に突出する係合爪５１とを有するものとし、かつ軸部５０を係脱駆動装置３５により回動させることによって、係合爪５１がカートリッジ７に設けられた凹部１０ｂに係合する係合位置と、係合爪５１がカートリッジ７の凹部１０ｂから離脱する非係合位置とに移動可能としてあるので、係合部材３４を簡単な構造のものとすることができ、安価に製造することができるとともに、操作を簡略化することができる。
【０１０６】
また、筐体１内における移動受け部材３７より後方に、磁気テープドライブ１７を、そのカートリッジ装着口１７ａが前方を向くようにして配設し、係合部材３７を、軸部５０の他端より軸部５０と直交する方向で、かつ係合爪５１に対して軸部５０を中心として９０°以上の角度をなす方向に突出する押し爪５２をさらに有するものとし、さらに、係脱駆動装置３５を、係合爪５１がカートリッジ７の凹部１０ｂから離脱した状態で、押し爪５２がカートリッジ７の前面に当接しうる押動可能位置まで、係合部材３４を回動させうるものとしてあるので、移動受け部材３７上に載置されたカートリッジ７を、磁気テープドライブ１７のカートリッジ装着口１７ａに整合させた後、係合部材３４の係合爪５１がカートリッジ７の凹部１０ｂに係合している状態で、摺動体３２を後方に移動させることにより、カートリッジ７を、係合部材３４の係合爪５１が磁気テープドライブ１７の前面に当接または近接するまで、磁気テープドライブ１７のカートリッジ装着口１７ａに挿入することができ、その後、係脱駆動装置３５により、係合部材３４を押動可能位置まで回動させて、押し爪５２をカートリッジ７の前面に対峙させ、その状態で、摺動体３２をさらに後方に移動させることにより、カートリッジ７を、磁気テープドライブ１７のカートリッジ装着口１７ａに、より深く挿入することができる。
【０１０７】
さらに、カートリッジ７を磁気テープドライブ１７のカートリッジ装着口１７ａに挿入した後、係合部材３４の押し爪５２を、カートリッジ装着口１７ａに当接または近接する位置に停止させたままとすることにより、カートリッジ７がカートリッジ装着口１７ａから飛び出すのを防止することができる。すなわち、押し爪５２を、カートリッジ７の飛び出し防止用のストッパとすることができる。
【０１０８】
図１３は、本発明の磁気テープ保管装置の第２の実施形態を示す。なお、第１の実施形態におけるのと同一または類似の部材には、同一の符号を付して図示するに止め、それらについての詳細な説明は省略する。
第２の実施形態においては、第１の実施形態における収容ボックス２６に代えて、筐体１における左右の側面板６、６間に架設した左右方向を向く水平な台板８０と、その前端に立設した起立片８１と、複数の仕切板２７とをもってカートリッジ収容部１６を形成してある。
【０１０９】
カートリッジ搬送装置１８においては、第１の実施形態における移動ボックス３６を省略し、それに代えて、スライドフレーム３０における前片２９を下方に延長し、その下端と、第１の実施形態における移動ボックス３６の移動受け部材３７同様とした移動受け部材８２の前端とを、台板８０の下方を通る前後方向を向く連結材８３をもって連結することにより、スライドフレーム３０と移動受け部材８２とを一体化してある。
【０１１０】
移動受け部材８２の左右の両側縁には、移動受け部材３７上に載置されたカートリッジ７の側方への傾倒を防止するための左右１対の仕切板(その一方のみを図示する)８４が立設されている。
【０１１１】
第２の実施形態においても、第１の実施形態におけるのと同様に作用し、かつ同様の効果を奏することができる。
【０１１２】
本発明は、上記実施形態のみに限定されるものではなく、特許請求の範囲を逸脱することなく、例えば、次のような変形した態様での実施が可能である。
(１)  いずれかの磁気テープドライブ１７において、カートリッジ７のエラーチェックを行い、そのエラーレートが予め定めた閾値を越えたことを、その磁気テープドライブ１７が判別したときは、そのカートリッジ(以下、旧カートリッジという)７をその磁気テープドライブ１７に装着したままの状態で、別の磁気テープドライブ１７に未使用の新たなカートリッジ(以下、新カートリッジという)７を装着し、その新カートリッジ７と、上記の旧カートリッジ７との間で、上記と同様にして、書き換え作業を行い、新カートリッジ７のメモリチップ１３に、書き換え時のエラーレートだけでなく、書き換え前のカートリッジ７におけるメモリチップ１３に記憶されているデータも、前世代の情報として記憶させる。
【０１１３】
(２)  前後１対のガイドロッド３９、３９を、スライドフレーム３０の上方において、筐体１における左右の側面板６、６間に架設し、両ガイドロッド３９、３９に摺動自在に外嵌した摺動筒３８、３８を、直接、または吊杆を介して、スライドフレーム３０と一体化し、スライドフレーム３０を、その上方において、左右方向に移動可能として案内する。
【０１１４】
(３)  左右移動装置３１を、スライドフレーム３０の上方に設ける。
すなわち、左右のプーリ４０、４０を、スライドフレーム３０と等高か、またはそれより上方において、筐体１における左右の側面板６、６に枢支し、それらに掛け回した無端のタイミングベルト４１の下側走行片をスライドフレーム３０に止着し、かつ同じく上側走行片を、タイミングベルト４６の上方を走行するようにする。
【０１１５】
(４)  スライドフレーム３０を、カートリッジ収容部１６の下方において、左右方向に移動可能として設ける。
この場合、係合部材３４を、カートリッジ収容部に収容されている各カートリッジの下面に設けられた凹部１０ｂに選択的に係脱しうるようにする。
【符号の説明】
【０１１６】
１  筐体
２  前面板
３  後面板
４  上面板
５  底板
６  側面板
７  カートリッジ
８  出入口
９  閉塞板
１０  ケース
１０ａ正面
１０ｂ凹部
１１  磁気テープ
１１ａ巻き終わり端部
１１ｂリーダーピン
１２  テープアクセスゲート
１３  メモリチップ
１４  ライトプロテクトスイッチ
１５  操作盤
１６  カートリッジ収容部
１７  磁気テープドライブ
１７ａカートリッジ装着口
１８  カートリッジ搬送装置
１９  カートリッジデータ読取り装置
２０  コンピュータ(制御装置)
２１  電源装置
２２  台板
２３  前面板
２４  上面板
２４ａスリット
２５  側板
２６  収容ボックス
２７  仕切板
２８  ローディングボックス
２８ａスリット
２９  前片
３０  スライドフレーム
３１  左右移動装置
３２  摺動体
３２ａ基片
３２ｂ取付片
３２ｃ前片
３２ｄ後片
３３  前後移動装置
３４  係合部材
３５  係脱駆動装置
３６  移動ボックス
３７  移動受け部材
３８  摺動筒
３９  ガイドロッド
４０  プーリ
４０ａ軸
４１  タイミングベルト
４２  軸受部材
４３  モータ
４３ａ回転軸
４４  スリット
４５  プーリ
４６  タイミングベルト
４７  軸
４８  モータ支持板
４９  モータ
４９ａ回転軸
５０  軸部
５１  係合爪
５２  押し爪
５３  軸
５４  モータ
５５  空気清浄機
５６  下向フック
５７  受け金具
５８  軸
５９  フック
６０  有頭係合軸
６１  排気口
６２  吸込口
６３  清浄空気取入れ口
６４  吹出口
６５  ファン
６６  フィルタ
６７  温湿度調整装置
６８  除電イオン供給装置
６９  分岐ダクト
７０  主制御回路
７１  タイマ
７２  メモリ
７３  定期検査回路
７４  個別制御回路
７５  巻き直し時期判別回路
７６  書き換え時期判別回路
７７  巻き直し実行回路
７８  書き換え実行回路
８０  台板
８１  起立片
８２  移動受板
８３  連結材
８４  仕切板
【図１】
2017175264.tif 000003
【図２】
2017175264.tif 000004
【図３】
2017175264.tif 000005
【図４】
2017175264.tif 000006
【図５】
2017175264.tif 000007
【図６】
2017175264.tif 000008
【図７】
2017175264.tif 000009
【図８】
2017175264.tif 000010
【図９】
2017175264.tif 000011
【図１０】
2017175264.tif 000012
【図１１】
2017175264.tif 000013
【図１２】
2017175264.tif 000014
【図１３】
2017175264.tif 000015
【図１４】
2017175264.tif 000016
【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
筐体と、
前記筐体内に設けられ、かつ巻回した磁気テープおよび非接触で読み取り可能のメモリチップを有する複数のカートリッジを収容するカートリッジ収容部と、
前記筐体内に設けられ、かつ前記カートリッジにおける磁気テープの読み取り、書き込み、および巻き直しを行う磁気テープドライブと、
前記筐体内に設けられ、かつ前記カートリッジ収容部に収容されている複数のカートリッジを、選択的に前記磁気テープドライブに移送および元位置に返送するカートリッジ搬送装置と、
前記カートリッジ搬送装置に設けられ、かつ前記カートリッジ収容部に収容されている複数のカートリッジにおける各メモリチップに記憶されているデータを、選択的に非接触で読み取ることのできるカートリッジデータ読取り装置と、
前記筐体に設けられ、かつ前記カートリッジデータ読取り装置により読み取られたデータに基づいて、巻き直しを必要とするカートリッジを割り出し、割り出されたカートリッジにおける磁気テープの巻き直しを実行するように、前記磁気テープドライブおよびカートリッジ搬送装置を制御する制御装置と、
前記筐体に設けられ、かつ前記カートリッジにおける磁気テープの巻き直しを実行する際に、カートリッジから引き出されて走行する磁気テープの走行部分の雰囲気に、除電イオンを含む空気を供給する除電イオン供給装置とを備え、
前記カートリッジにおけるメモリチップには、該カートリッジの巻き直し履歴が記憶されるようになっていることを特徴とする磁気テープ保管装置。
【請求項２】
筐体と、
前記筐体内に設けられ、かつ巻回した磁気テープおよび非接触で読み取り可能のメモリチップを有する複数のカートリッジを収容するカートリッジ収容部と、
前記筐体内に設けられ、かつ前記カートリッジにおける磁気テープの読み取り、書き込み、および巻き直しを行う磁気テープドライブと、
前記筐体内に設けられ、かつ前記カートリッジ収容部に収容されている複数のカートリッジを、選択的に前記磁気テープドライブに移送および元位置に返送するカートリッジ搬送装置と、
前記カートリッジ搬送装置に設けられ、かつ前記カートリッジ収容部に収容されている複数のカートリッジにおける各メモリチップに記憶されているデータを、選択的に非接触で読み取ることのできるカートリッジデータ読取り装置と、
前記筐体に設けられ、かつ前記カートリッジデータ読取り装置により読み取られたデータに基づいて、巻き直しを必要とするカートリッジを割り出し、割り出されたカートリッジにおける磁気テープの巻き直しを実行するように、前記磁気テープドライブおよびカートリッジ搬送装置を制御する制御装置とを備え、
前記カートリッジにおけるメモリチップには、該カートリッジの巻き直し履歴が記憶されるようになっており、
前記磁気テープドライブは、磁気テープのエラーチェックを行い、かつエラーチェックした履歴を、エラーチェックした前記磁気テープが収容されているカートリッジのメモリチップに記憶させる機能を有しており、前記カートリッジデータ読取り装置は、複数のカートリッジにおける各メモリチップに記憶されているエラーチェック履歴をも選択的に非接触で読み取ることができるようになっており、さらに、前記制御装置は、前記カートリッジデータ読取り装置が読み取ったエラーチェック履歴に含まれるエラーレートが予め定めた閾値を越えたことを判別し、その情報を出力する書き換え時期判別装置を有しており、
前記筐体内に、少なくとも２台の磁気テープドライブを設け、かつ前記制御装置に、前記書き換え時期判別装置の情報に基づいて、エラーチェック履歴が閾値を越えた磁気テープが収容されているカートリッジを一方の磁気テープドライブに装着し、他方の磁気テープドライブに、筐体内に予め保管しておいた未使用のカートリッジを装着し、一方の磁気テープドライブにより読み取った磁気テープのデータを、他方の磁気テープドライブに装着した未使用のカートリッジの磁気テープに書き込むように、前記カートリッジ搬送装置と前記２台の磁気テープドライブとを制御する書き換え制御装置を設け、
さらに、前記書き換え制御装置に、エラーチェック履歴が閾値を越えた磁気テープが収容されているカートリッジにおけるメモリチップに記憶されているデータを、未使用のカートリッジにおけるメモリチップに、前世代の情報として記憶させる手段を設けたことを特徴とする磁気テープ保管装置。
【請求項３】
筐体と、
前記筐体内に設けられ、かつ巻回した磁気テープおよび非接触で読み取り可能のメモリチップを有する複数のカートリッジを収容するカートリッジ収容部と、
前記筐体内に設けられ、かつ前記カートリッジにおける磁気テープの読み取り、書き込み、および巻き直しを行う磁気テープドライブと、
前記筐体内に設けられ、かつ前記カートリッジ収容部に収容されている複数のカートリッジを、選択的に前記磁気テープドライブに移送および元位置に返送するカートリッジ搬送装置と、
前記カートリッジ搬送装置に設けられ、かつ前記カートリッジ収容部に収容されている複数のカートリッジにおける各メモリチップに記憶されているデータを、選択的に非接触で読み取ることのできるカートリッジデータ読取り装置と、
前記筐体に設けられ、かつ前記カートリッジデータ読取り装置により読み取られたデータに基づいて、巻き直しを必要とするカートリッジを割り出し、割り出されたカートリッジにおける磁気テープの巻き直しを実行するように、前記磁気テープドライブおよびカートリッジ搬送装置を制御する制御装置とを備え、
前記カートリッジにおけるメモリチップには、該カートリッジの巻き直し履歴が記憶されるようになっており、
前記カートリッジ収容部を、台板上に複数のカートリッジを左右方向に並べて収容するものとし、前記カートリッジ搬送装置を、
前記カートリッジ収容部に収容された複数のカートリッジの上方または下方を左右方向に移動可能として前記筐体内に設けられた前後方向を向くスライドフレームと、
前記スライドフレームを左右方向に移動させる左右移動装置と、
前記スライドフレームに前後方向に移動可能として装着された摺動体と、
前記摺動体をスライドフレームに沿って前後方向に移動させる前後移動装置と、
前記摺動体に設けられ、かつ前記カートリッジ収容部に収容されている各カートリッジの表面に設けられた凹部に選択的に係脱しうる係合部材と、
前記係合部材を、前記カートリッジの凹部に係合しうる係合位置と、前記凹部から離脱する非係合位置とに移動させる係脱駆動装置と、
前記台板の後方に位置するようにして、前記スライドフレームと一体的に設けられ、かつ前記係合部材が凹部に係合して、前記台板より後方に移動させられたカートリッジを受支する移動受け部材
とを備えているものとし、さらに、前記スライドフレームにおける前記カートリッジ収容部に収容されている各カートリッジのメモリチップに対向する部分に、前記カートリッジデータ読取り装置を設けたことを特徴とする磁気テープ保管装置。
【請求項４】
前記係合部材を、前後方向を向く軸部と、その一端より前記軸部と直交する方向に突出する係合爪とを有するものとし、かつ前記軸部を前記係脱駆動装置により回動させることによって、前記係合爪が前記カートリッジに設けられた凹部に係合する係合位置と、前記係合爪が前記カートリッジの凹部から離脱する非係合位置とに移動可能としたことを特徴とする請求項３記載の磁気テープ保管装置。
【請求項５】
前記筐体内における移動受け部材より後方に、前記磁気テープドライブを、そのカートリッジ装着口が前方を向くようにして配設し、前記係合部材を、前記軸部の他端より前記軸部と直交する方向で、かつ前記係合爪に対して前記軸部を中心として９０°以上の角度をなす方向に突出する押し爪をさらに有するものとし、さらに、前記係脱駆動装置を、前記係合爪が前記カートリッジの凹部から離脱した状態で、前記押し爪が前記カートリッジの前面に当接しうる押動可能位置まで、前記係合部材を回動させうるものとしたことを特徴とする請求項４記載の磁気テープ保管装置。
【請求項６】
前記筐体に、カートリッジを出し入れしうる出入口を設け、かつ前記カートリッジ搬送装置を、前記出入口に外部から挿入したカートリッジをカートリッジ収容部または磁気テープドライブまで搬送し、かつカートリッジ収容部に収容されているか、または磁気テープドライブに装着されているカートリッジを、前記出入口まで搬送し、そこから外部に排出させる機能を有するものとしたことを特徴とする請求項１〜５のいずれかに記載の磁気テープ保管装置。
【手続補正２】
【補正対象書類名】明細書
【補正対象項目名】全文
【補正方法】変更
【補正の内容】
【発明の詳細な説明】
【技術分野】
【０００１】
本発明は、磁気テープ保管装置に関する。
【背景技術】
【０００２】
データを記録した磁気テープを巻回してカートリッジ内に収容したものを、使用することなく長期間保存しておくと、性状が悪化し、最悪の場合、記録したデータに欠落が生じたり、データが変質したり、またはデータを取り出せなくなることがある。
この性状悪化の第１の要因としては、空気中に含まれる水蒸気(湿気)に化学物質や塵埃が吸収され、それが磁気テープに付着して、カビを発生させたり、テープを変質させたりすることによるものが考えられる。
第２の要因としては、カートリッジ内において巻回された磁気テープの内周部が、外周部により巻き締められて強い物理的な圧力を受け、テープ同士の貼り付き、表面に付着している物質の転移、テープの基材の物理的な伸びや圧縮等が考えられる。
【０００３】
このような磁気テープの性状の悪化を防止する手段として、例えば、最後にテープの巻き直しを行った時点から、ある一定時間が経過したものを判別し、そのテープの巻き直しを行うようにしたもの(例えば特許文献１参照)、磁気テープの情報読み取り手段により読み取られた情報に基づいて、エラーレートを算出し、そのエラーレートが所定の閾値を越えたとき、保守または交換の必要性があると判定するようにしたもの(例えば特許文献２参照)、上記のエラーレートと同様のエラー頻度情報に基づいて、磁気ヘッドのクリーニング時期を決定するようにしたもの(例えば特許文献３参照)、温度湿度センサにより検出した湿度が所定値より高くなったとき、湿度制御部内の温度が上がるように、ペルチェ素子を制御するようにしたもの(例えば特許文献４参照)等がある。
【先行技術文献】
【特許文献】
【０００４】
【特許文献１】特許第３２３７１９１号公報
【特許文献２】特開２００６−１６４４４５号公報
【特許文献３】特開２００３−３３１４０８号公報
【特許文献４】特開２００９−２２３９６４号公報
【発明の概要】
【発明が解決しようとする課題】
【０００５】
上記のような従来の解決手段は、それぞれの目的をある程度達成しうるものではあるが、磁気テープ、ひいてはそこに記録されているデータを、長期間、換言すると半永久的に保存するという観点からは未だ十分とは言えず、また実施に当たって多額の費用を必要としたり、大型の設備が必要となったりする等の問題がある。
【０００６】
本発明は、従来の技術が有する上記のような問題点に鑑み、データを記録した磁気テープ、ひいてはそこに記録されているデータを、小スペース内において、簡単な構造で、安価に、長期間に亘って、確実に保存しうるようにした磁気テープ保管装置を提供することを目的としている。
【課題を解決するための手段】
【０００７】
本発明によると、上記課題は次のようにして解決される。
(１)  磁気テープ保管装置が、筐体と、前記筐体内に設けられ、かつ巻回した磁気テープおよび非接触で読み取り可能のメモリチップを有する複数のカートリッジを収容するカートリッジ収容部と、前記筐体内に設けられ、かつ前記カートリッジにおける磁気テープの読み取り、書き込み、および巻き直しを行う磁気テープドライブと、前記筐体内に設けられ、かつ前記カートリッジ収容部に収容されている複数のカートリッジを、選択的に前記磁気テープドライブに移送および元位置に返送するカートリッジ搬送装置と、前記カートリッジ搬送装置に設けられ、かつ前記カートリッジ収容部に収容されている複数のカートリッジにおける各メモリチップに記憶されているデータを、選択的に非接触で読み取ることのできるカートリッジデータ読取り装置と、前記筐体に設けられ、かつ前記カートリッジデータ読取り装置により読み取られたデータに基づいて、巻き直しを必要とするカートリッジを割り出し、割り出されたカートリッジにおける磁気テープの巻き直しを実行するように、前記磁気テープドライブおよびカートリッジ搬送装置を制御する制御装置と、前記筐体に設けられ、かつ前記カートリッジにおける磁気テープの巻き直しを実行する際に、カートリッジから引き出されて走行する磁気テープの走行部分の雰囲気に、除電イオンを含む空気を供給する除電イオン供給装置とを備えるものとし、前記カートリッジにおけるメモリチップには、該カートリッジの巻き直し履歴が記憶されるようになっているものとする。
【０００８】
このような構成によると、適時に、または予め定めた周期で、カートリッジ搬送装置を作動させて、そこに設けたカートリッジデータ読取り装置により、カートリッジ収容部に収容されている各カートリッジのメモリチップに記憶されているデータを非接触で読み取り、そのデータに基づいて、制御装置において、巻き直しを必要としているカートリッジが割り出されると、そのカートリッジがカートリッジ搬送装置により磁気テープドライブまで搬送され、そこでそのカートリッジ内の磁気テープが自動的に巻き直される。
この巻き直しにより、カートリッジ内の磁気テープは、蓄積されていたストレスが解放され、かつ一旦筐体内の雰囲気に曝されることにより、耐久性が増す。
それによって、貴重なデータが記録されている磁気テープ、ひいてはそこに記録されているデータを、小スペース内において、安価に、長期間に亘って、確実に保存することができる。
また、カートリッジデータ読取り装置は、各カートリッジのメモリチップに記憶されているデータを非接触で読み取ることができるので、各カートリッジを収容場所から出し入れすることなく、各カートリッジのメモリチップの情報を、効率よく、迅速に読み取ることができる。
【０００９】
さらに、磁気テープの巻き直し時に発生する静電気により、磁気テープに記録されているデータに悪影響を及ぼしたり、磁気テープに塵埃等の望ましくない微小粒子が付着したりするのを防止することができる。
【００１０】
(２)  磁気テープ保管装置が、筐体と、前記筐体内に設けられ、かつ巻回した磁気テープおよび非接触で読み取り可能のメモリチップを有する複数のカートリッジを収容するカートリッジ収容部と、前記筐体内に設けられ、かつ前記カートリッジにおける磁気テープの読み取り、書き込み、および巻き直しを行う磁気テープドライブと、前記筐体内に設けられ、かつ前記カートリッジ収容部に収容されている複数のカートリッジを、選択的に前記磁気テープドライブに移送および元位置に返送するカートリッジ搬送装置と、前記カートリッジ搬送装置に設けられ、かつ前記カートリッジ収容部に収容されている複数のカートリッジにおける各メモリチップに記憶されているデータを、選択的に非接触で読み取ることのできるカートリッジデータ読取り装置と、前記筐体に設けられ、かつ前記カートリッジデータ読取り装置により読み取られたデータに基づいて、巻き直しを必要とするカートリッジを割り出し、割り出されたカートリッジにおける磁気テープの巻き直しを実行するように、前記磁気テープドライブおよびカートリッジ搬送装置を制御する制御装置とを備えるものとし、前記カートリッジにおけるメモリチップには、該カートリッジの巻き直し履歴が記憶されるようになっており、前記磁気テープドライブは、磁気テープのエラーチェックを行い、かつエラーチェックした履歴を、エラーチェックした前記磁気テープが収容されているカートリッジのメモリチップに記憶させる機能を有しており、前記カートリッジデータ読取り装置は、複数のカートリッジにおける各メモリチップに記憶されているエラーチェック履歴をも選択的に非接触で読み取ることができるようになっており、さらに、前記制御装置は、前記カートリッジデータ読取り装置が読み取ったエラーチェック履歴に含まれるエラーレートが予め定めた閾値を越えたことを判別し、その情報を出力する書き換え時期判別装置を有しており、前記筐体内に、少なくとも２台の磁気テープドライブを設け、かつ前記制御装置に、前記書き換え時期判別装置の情報に基づいて、エラーチェック履歴が閾値を越えた磁気テープが収容されているカートリッジを一方の磁気テープドライブに装着し、他方の磁気テープドライブに、筐体内に予め保管しておいた未使用のカートリッジを装着し、一方の磁気テープドライブにより読み取った磁気テープのデータを、他方の磁気テープドライブに装着した未使用のカートリッジの磁気テープに書き込むように、前記カートリッジ搬送装置と前記２台の磁気テープドライブとを制御する書き換え制御装置を設け、さらに、前記書き換え制御装置に、エラーチェック履歴が閾値を越えた磁気テープが収容されているカートリッジにおけるメモリチップに記憶されているデータを、未使用のカートリッジにおけるメモリチップに、前世代の情報として記憶させる手段を設ける。
【００１１】
このような構成によると、段落０００８に記載されている効果を奏しうるだけでなく、エラーチェック履歴に含まれるエラーレートが予め定めた閾値を越えたことを判別することにより、その磁気テープが、保守または交換すべき状態となっていることを知ることができる。
また、磁気テープのエラーレートが上昇し、その磁気テープに記録されているデータが、使用できなくなる前に、そのデータを、未使用の新しいカートリッジの磁気テープに書き換えて、記録媒体を新しくすることにより、磁気テープの寿命を越えて、データの長期保存を可能とすることができる。
さらに、エラーレートの増加状況を、書き換え前のカートリッジ７まで遡って、正確に知ることができる。
【００１２】
(３)  磁気テープ保管装置が、筐体と、前記筐体内に設けられ、かつ巻回した磁気テープおよび非接触で読み取り可能のメモリチップを有する複数のカートリッジを収容するカートリッジ収容部と、前記筐体内に設けられ、かつ前記カートリッジにおける磁気テープの読み取り、書き込み、および巻き直しを行う磁気テープドライブと、前記筐体内に設けられ、かつ前記カートリッジ収容部に収容されている複数のカートリッジを、選択的に前記磁気テープドライブに移送および元位置に返送するカートリッジ搬送装置と、前記カートリッジ搬送装置に設けられ、かつ前記カートリッジ収容部に収容されている複数のカートリッジにおける各メモリチップに記憶されているデータを、選択的に非接触で読み取ることのできるカートリッジデータ読取り装置と、前記筐体に設けられ、かつ前記カートリッジデータ読取り装置により読み取られたデータに基づいて、巻き直しを必要とするカートリッジを割り出し、割り出されたカートリッジにおける磁気テープの巻き直しを実行するように、前記磁気テープドライブおよびカートリッジ搬送装置を制御する制御装置とを備えるものとし、前記カートリッジにおけるメモリチップには、該カートリッジの巻き直し履歴が記憶されるようになっており、前記カートリッジ収容部を、台板上に複数のカートリッジを左右方向に並べて収容するものとし、前記カートリッジ搬送装置を、前記カートリッジ収容部に収容された複数のカートリッジの上方または下方を左右方向に移動可能として前記筐体内に設けられた前後方向を向くスライドフレームと、前記スライドフレームを左右方向に移動させる左右移動装置と、前記スライドフレームに前後方向に移動可能として装着された摺動体と、前記摺動体をスライドフレームに沿って前後方向に移動させる前後移動装置と、前記摺動体に設けられ、かつ前記カートリッジ収容部に収容されている各カートリッジの表面に設けられた凹部に選択的に係脱しうる係合部材と、前記係合部材を、前記カートリッジの凹部に係合しうる係合位置と、前記凹部から離脱する非係合位置とに移動させる係脱駆動装置と、前記台板の後方に位置するようにして、前記スライドフレームと一体的に設けられ、かつ前記係合部材が凹部に係合して、前記台板より後方に移動させられたカートリッジを受支する移動受け部材とを備えているものとし、さらに、前記スライドフレームにおける前記カートリッジ収容部に収容されている各カートリッジのメモリチップに対向する部分に、前記カートリッジデータ読取り装置を設ける。
【００１３】
このような構成によると、段落０００８に記載されている効果を奏しうるだけでなく、各カートリッジに設けられている凹部を利用して、そこに係合部材を係合させて、その係合部材を摺動体とともに前後移動装置により後方に移動させることにより、カートリッジを簡単に台板上から移動受け部材上に移載することができ、移動受け部材上に移載した状態で、スライドフレームを左右移動装置により、左右方向に移動させることによって、カートリッジを、左右方向に搬送することができる。
また、カートリッジの凹部に係合部材が係合している状態で、係合部材を摺動体とともに前後移動装置により前方に移動させることにより、移動受け部材上に載置されたカートリッジを、カートリッジ収容部における台板上に、簡単かつ迅速に移載させることができる。
さらに、カートリッジ搬送装置の構造を簡素化することができるとともに、製造コストを低減させることができる。
【００１４】
(４)  上記(３)項において、前記係合部材を、前後方向を向く軸部と、その一端より前記軸部と直交する方向に突出する係合爪とを有するものとし、かつ前記軸部を前記係脱駆動装置により回動させることによって、前記係合爪が前記カートリッジに設けられた凹部に係合する係合位置と、前記係合爪が前記カートリッジの凹部から離脱する非係合位置とに移動可能とする。
【００１５】
このような構成によると、係合部材を簡単な構造のものとすることができ、安価に製造することができるとともに、操作を簡略化することができる。
【００１６】
(５)  上記(４)項において、前記筐体内における移動受け部材より後方に、前記磁気テープドライブを、そのカートリッジ装着口が前方を向くようにして配設し、前記係合部材を、前記軸部の他端より前記軸部と直交する方向で、かつ前記係合爪に対して前記軸部を中心として９０°以上の角度をなす方向に突出する押し爪をさらに有するものとし、さらに、前記係脱駆動装置を、前記係合爪が前記カートリッジの凹部から離脱した状態で、前記押し爪が前記カートリッジの前面に当接しうる押動可能位置まで、前記係合部材を回動させうるものとする。
【００１７】
このような構成によると、移動受け部材上に載置されたカートリッジを、磁気テープドライブのカートリッジ装着口に整合させた後、係合部材の係合爪がカートリッジの凹部に係合している状態で、摺動体を後方に移動させることにより、カートリッジを、係合部材の係合爪が磁気テープドライブの前面に当接または近接するまで、磁気テープドライブのカートリッジ装着口に挿入することができ、その後、係脱駆動装置により、係合部材を押動可能位置まで回動させて、押し爪をカートリッジの前面に対峙させ、その状態で、摺動体をさらに後方に移動させることにより、カートリッジを、磁気テープドライブのカートリッジ装着口に、より深く挿入することができる。
また、カートリッジを磁気テープドライブのカートリッジ装着口に挿入した後、係合部材の押し爪を、カートリッジ装着口に当接または近接する位置に停止させたままとすることにより、カートリッジがカートリッジ装着口から飛び出すのを防止することができる。すなわち、押し爪を、カートリッジの飛び出し防止用のストッパとすることができる。
【００１８】
(６)  上記(１)〜(５)項のいずれかにおいて、前記筐体に、カートリッジを出し入れしうる出入口を設け、かつ前記カートリッジ搬送装置を、前記出入口に外部から挿入したカートリッジをカートリッジ収容部または磁気テープドライブまで搬送し、かつカートリッジ収容部に収容されているか、または磁気テープドライブに装着されているカートリッジを、前記出入口まで搬送し、そこから外部に排出させる機能を有するものとする。
【００１９】
このような構成によると、筐体内のカートリッジ収容部に収容されているカートリッジを、必要に応じて、筐体外に出し入れしたり、交換したりすることができるとともに、書き換え済みの元のカートリッジを、磁気テープドライブまたはカートリッジ収容部から筐体外に排出したり、未使用の新しいカートリッジを、筐体外から、筐体内の磁気テープドライブまたはカートリッジ収容部に搬入したりすることができる。
【発明の効果】
【００２０】
本発明によると、データを記録した磁気テープ、ひいてはそこに記録されているデータを、小スペース内において、簡単な構造で、安価に、長期間に亘って、確実に保存しうるようにした磁気テープ保管装置を提供することができる。
【図面の簡単な説明】
【００２１】
【図１】本発明の磁気テープ保管装置の第１の実施形態の正面図である。
【図２】図１のII−II線における横断平面図である。
【図３】図２のIII−III線における縦断側面図である。
【図４】本発明の磁気テープ保管装置に収容するカートリッジの一例を示す一部破断斜視図である。
【図５】第１の実施形態における摺動体を引き出し位置まで移動させたときのカートリッジ搬送装置の一部の斜視図である。
【図６】第１の実施形態におけるカートリッジ搬送装置の係合部材とその関連構成との分解斜視図である。
【図７】図５のVII−VII線における拡大縦断正面図である。
【図８】第１の実施形態における摺動体をドライブ装着位置まで移動させたときの係合部材とその関連構成との拡大側面図である。
【図９】本発明の磁気テープ保管装置の第１の実施形態における電気系統のブロック図である。
【図１０】本発明の磁気テープ保管装置の第１の実施形態における基本的な作動態様を示すフローチャートである。
【図１１】同じく、磁気テープの巻き直しを行う際の作動態様を示す第１のフローチャートである。
【図１２】同じく、磁気テープの巻き直しを行う際の作動態様を示す第２のフローチャートである。
【図１３】同じく、磁気テープの書き換えを行う際の作動態様を示すフローチャートである。
【図１４】本発明の磁気テープ保管装置の第２の実施形態を示す、図３と同様の縦断側面図である。
【発明を実施するための形態】
【００２２】
以下、本発明の磁気テープ保管装置の第１の実施形態を、図１〜図１３を参照して詳細に説明する。
【００２３】
図１〜図３に示すように、この磁気テープ保管装置は、密閉箱状の筐体１を備えている。
筐体１は、前面板２、後面板３、上面板４、底板５および左右の側面板６、６よりなっている。
【００２４】
前面板２の右下部には、カートリッジ７出入用の出入口８が設けられており、この出入口８は、カートリッジ７を出入するとき以外は、自閉式の閉塞板９により閉塞されている。
【００２５】
カートリッジ７は、図４に示すように、箱型のケース１０内に、ＬＴＯ(リニア テープ オープン)の磁気テープ１１を、リール(図示略)に巻回した状態で収容し、その巻き終わり端部１１ａを、その先端部に止着したリーダーピン１１ｂとともに、ケース１０の一部に設けたテープアクセスゲート１２より引き出して使用できるようになっている。
【００２６】
ケース１０におけるラベル添付面である正面１０ａの一部には、ＩＣチップのような非接触で読み取りおよび書き込み可能のメモリチップ１３が埋設されており、正面１０ａの他部には、書き込み禁止用のライトプロテクトスイッチ１４が設けられている。
【００２７】
カートリッジ７を図４に示すように起立させたときの、ケース１０の上下の端部における前方寄りの部分には、上下面と一側面とに開口する前後２個の方形の凹部１０ｂ、１０ｂ、が設けられている。
【００２８】
図１に示すように、筐体１における前面板２の右上部には、液晶タッチパネルよりなる操作盤１５が設けられている。この操作盤１５により、すべての操作が行われる。
【００２９】
図２および図３に示すように、筐体１内には、複数のカートリッジ７を左右方向に並べて収容するカートリッジ収容部１６と、カートリッジ７における磁気テープ１１の読み取り、書き込み、および巻き直しを行う複数台の磁気テープドライブ(ＬＴＯドライブ)１７と、カートリッジ収容部１６に収容されている複数のカートリッジ７を、選択的にいずれかの磁気テープドライブ１７に移送および元位置に返送するカートリッジ搬送装置１８と、カートリッジ搬送装置１８に設けられ、かつカートリッジ収容部１６に収容されている複数のカートリッジ７における各メモリチップ１３に記憶されているデータを選択的に非接触で読み取ることのできるカートリッジデータ読取り装置１９と、カートリッジデータ読取り装置１９により読み取られたデータに基づいて、巻き直しを必要とするカートリッジ７を割り出し、割り出されたカートリッジ７における磁気テープ１１の巻き直しを実行するように、磁気テープドライブ１７およびカートリッジ搬送装置１８を制御する制御装置としてのコンピュータ２０と、電源装置２１とが設けられている。
【００３０】
各カートリッジ７におけるメモリチップ１３には、該カートリッジ７の製造年月日、書き込み履歴、読み取り履歴、消去履歴、巻き直し履歴、エラーチェック履歴およびそのときのエラーレート等のデータが記憶されるようになっている。
また、このメモリチップ１３には、他のカートリッジ７の磁気テープ１１に記録されていたデータを書き換えた(ダビングした)際における、前世代のカートリッジ７(上記他のカートリッジ７)におけるメモリチップ１３に記憶されているデータも、前世代の情報として記憶される。
【００３１】
また、各カートリッジ７におけるメモリチップ１３には、カートリッジデータ読取り装置１９により、そのメモリチップ１３の記憶内容を読み取り、その読み取ったデータをコンピュータ２０において検査し、その検査結果と検査した年月日等の検査履歴をも記憶させるものとし、カートリッジデータ読取り装置１９は、その検査履歴やその他のデータを対峙しているカートリッジ７におけるメモリチップ１３に書き込む機能をも有している。
これによって、カートリッジデータ読取り装置１９をカートリッジ７におけるメモリチップ１３に対峙させて、そのメモリチップ１３のデータを読み取った直後に、その検査結果や検査した年月日等を、対峙させたままのメモリチップ１３に即座に書き込むことができる。
【００３２】
筐体１内の前部に配設されたカートリッジ収容部１６は、複数のカートリッジ７を左右方向に並べて支持する水平の台板２２と、その前端より起立する前面板２３と、その上端より後方を向く上面板２４と、台板２２の両側部より起立する両側板２５、２５とからなる、後面が開放した収容ボックス２６と、台板２２上に立設され、かつ収容ボックス２６内を、１個毎のカートリッジ７収容スペースに左右方向に区画する複数の仕切板２７とからなっている。
【００３３】
上面板２４における前端近傍から後端にかけては、各カートリッジ７収容スペース毎に、後述する係合部材３４の係合爪５１が挿通しうるスリット２４ａがそれぞれ設けられている。
【００３４】
台板２２には、各カートリッジ７をカートリッジ収容部１６の正規の収容位置に収容したとき、各カートリッジ７の下面における前後いずれかの凹部１０ｂに弾性係合して、各カートリッジ７が、地震時等においてもカートリッジ収容部１６から脱落するのを防止するようにした弾性係合爪(図示略)を設けるのが好ましい。
【００３５】
筐体１内における収容ボックス２６の一側方で、かつ前面板２における出入口８の後方には、ローディングボックス２８が配設されている。
このローディングボックス２８の上面には、収容ボックス２６の上面板２４におけるスリット２４ａと同様のスリット２８ａが設けられている。
このローディングボックス２８は、収容ボックス２６と一体的に形成することもある。
【００３６】
筐体１内の後部には、３台の磁気テープドライブ１７が、前方の収容ボックス２６よりカートリッジ７のほぼ１個分の空間を隔てて設けられている。
そのうちの１台は、磁気テープ１１の巻き直し専用機とすることもある。また、磁気テープドライブ１７は、２台、または４台以上とすることもある。
【００３７】
各磁気テープドライブ１７は、前面にカートリッジ装着口１７ａを有し、カートリッジ７における磁気テープ１１の読み取り、書き込み、および巻き直しを行うだけでなく、装着されたカートリッジ７における磁気テープ１１のエラーチェックを行い、かつエラーチェックした履歴、具体的には、そのときのエラーレートおよびエラーチェックした年月日等を、エラーチェックした磁気テープ１１が収容されているカートリッジ７のメモリチップ１３に記憶させる機能を有している。
【００３８】
さらに、各磁気テープドライブ１７は、そこに未使用のカートリッジ７を装着しておき、その磁気テープ１１に、他の磁気テープドライブ１７に装着したカートリッジ７における磁気テープ１１を読み取った情報を書き込み、すなわちデータの書き換えを行い、そのときの読み取り情報と書き込み情報との比較から得られたエラーレートを、未使用のカートリッジ７のメモリチップ１３に記憶させるだけでなく、他方の磁気テープドライブ１７に装着したカートリッジ７におけるメモリチップ１３に記憶されているデータをも、前世代の情報として記憶させる機能をも有している。
【００３９】
カートリッジ搬送装置１８は、カートリッジ収容部１６に収容された複数のカートリッジ７の上方を左右方向に移動可能として筐体１内に設けられ、かつ前端に、カートリッジ収容部１６の前面に対向するようにして垂下する前片２９を有する前後方向を向くスライドフレーム３０と、このスライドフレーム３０を左右方向に移動させる左右移動装置３１と、スライドフレーム３０に前後方向に移動可能として装着された摺動体３２と、この摺動体３２をスライドフレーム３０に沿って前後方向に移動させる前後移動装置３３と、摺動体３２に設けられ、かつカートリッジ収容部１６に収容された各カートリッジ７の上面に設けられた凹部１０ｂに選択的に係脱しうる係合部材３４と、この係合部材３４を、カートリッジ７の凹部１０ｂに係合しうる係合位置と、凹部１０ｂから離脱する非係合位置とに移動させる係脱駆動装置３５と、台板２２の後方に位置し、かつ３台の磁気テープドライブ１７の前方に位置するようにして、スライドフレーム３０と一体的に設けられ、かつ係合部材３４が凹部１０ｂに係合して、台板２２より後方に移動させられたカートリッジ７を受支する移動ボックス３６とを備えている。
移動ボックス３６の下部は、スライドフレーム３０と一体的に左右方向に移動しうるようにした移動受け部材３７をなしている。
【００４０】
スライドフレーム３０の前片２９における、カートリッジ収容部１６に収容されている各カートリッジ７のメモリチップ１３に対向する部分に、そのメモリチップ１３に記憶されているデータを非接触で読み取ったり、そのメモリチップ１３に他の情報を書き込んだりするカートリッジデータ読取り装置１９が設けられている。
【００４１】
スライドフレーム３０と一体となった移動ボックス３６の底面には、左右方向を向く前後１対の摺動筒３８、３８が設けられており、これらの摺動筒３８、３８が、筐体１における左右の側板２５、２５間に架設した前後１対のガイドロッド３９、３９に外嵌して、左右方向に摺動することにより、スライドフレーム３０と移動ボックス３６とは、左右方向に円滑に移動できるように案内されている。
【００４２】
移動ボックス３６の底面における前後の摺動筒３８、３８間には、筐体１内の両側部に配設した左右１対のプーリ４０、４０に掛け回された無端のタイミングベルト４１の一部が止着されている。
前後方向を向く各プーリ４０の軸４０ａは、軸受部材４２をもって筐体１内に枢支されており、その一方の軸４０ａを、筐体１内に設けたステッピングモータ等の回転角度制御可能のモータ４３の回転軸４３ａに結合することにより、タイミングベルト４１は、モータ４３の回転力によって無端回走させられ、その一部に止着された移動ボックス３６およびスライドフレーム３０は、左右方向に移動させられるようになっている。
このモータ４３、プーリ４０、４０、およびタイミングベルト４１により、また広い意味では、摺動筒３８、３８およびガイドロッド３９、３９からなるガイド手段を含めて、左右移動装置３１が形成されている。
【００４３】
スライドフレーム３０には、前端近傍から後端に至る前後方向を向くスリット４４(図２および図７参照)が設けられている。このスリット４４には、摺動体３２における上下方向を向く基片３２ａが、前後方向に摺動自在に嵌合されている。
【００４４】
図７に示すように、スライドフレーム３０より上方に突出する摺動体３２における基片３２ａの上端には、正面視Ｌ字状の取付片３２ｂが連設されており、スライドフレーム３０より垂下する基片３２ａの下端部前後縁には、図６および図７に示すように、一側方を向く前片３２ｃおよび後片３２ｄが連設されている。
【００４５】
摺動体３２における取付片３２ｂの上部には、スライドフレーム３０の上面の前後部に配設した前後１対のプーリ４５、４５に掛け回されたタイミングベルト４６の一部が止着されている。
【００４６】
前方のプーリ４５は、スライドフレーム３０の前部上面に突設した上下方向を向く軸４７に枢支されており、後方のプーリ４５は、スライドフレーム３０の後端部に設けたモータ支持板４８上に支持されたステッピングモータ等の回転角度制御可能のモータ４９における、上記モータ支持板４８を貫通して下向きに突出する回転軸４９ａ(図７参照)の下端部に固嵌されている。
【００４７】
前後のプーリ４５、４５に掛け回されたタイミングベルト４６は、モータ４９の回転力によって無端回走させられ、その一部に止着された摺動体３２は、前後方向に移動させられるようになっている。
このモータ４９、プーリ４５、４５、タイミングベルト４６により、また広い意味では、スリット４４からなるガイド手段を含めて、前後移動装置３３が形成されている。
【００４８】
係合部材３４は、前後方向を向く軸部５０と、その後端より軸部５０と直交する方向に突出する係合爪５１と、軸部５０の前端より軸部５０と直交する方向で、かつ係合爪５１に対して軸部５０を中心として９０°以上の角度、この例では１８０°の角度をなす方向に突出する押し爪５２とからなっており、摺動体３２における前片３２ｃと後片３２ｄとの間に、前後方向を向く軸５３をもって枢支され、かつ後片３２ｄの後面に取付けられた、係脱駆動装置３５をなすステッピングモータ等の回転角度制御可能のモータ５４によって回転させられるようになっている。
【００４９】
係合部材３４は、係合爪５１が下方を向いて、カートリッジ収容部１６に収容されている各カートリッジ７に設けられた凹部１０ｂに係合しうる係合位置と、係合爪５１がほぼ水平方向を向いて、カートリッジ７の凹部１０ｂから離脱する非係合位置と、係合爪５１が上方を向き、かつ押し爪５２が下方を向いて、押し爪５２がカートリッジ７の前面に当接しうる押動可能位置とに、モータ５４によって回動させられるようになっている。
【００５０】
係合部材３４における軸部５０の長さ、すなわち、係合爪５１と押し爪５２との前後間隔は、カートリッジ７の前面と前方の凹部１０ｂとの間の距離とほぼ等しくしてあり、図８に実線で示すように、係合部材３４が係合位置に位置し、係合爪５１がカートリッジ７の前方の凹部１０ｂと係合している状態から、係合部材３４をモータ５４により、図８に２点鎖線で示すように、押動可能位置まで回動させると、係合爪５１がカートリッジ７の前方の凹部１０ｂから離脱し、かつ押し爪５２がカートリッジ７の前面に当接するか、またはその前方において近接するようになっている。
【００５１】
摺動体３２は、モータ４９の作動により、図３に実線で示すように、カートリッジ収容部１６に収容されている各カートリッジ７の上面における前方の凹部１０ｂに係合爪５１が係脱しうる前限位置と、係合爪５１が上記凹部１０ｂに係合している状態で、カートリッジ７が移動ボックス３６内に位置する(図３の２点鎖線参照)引き出し位置と、カートリッジ７を、いずれかの磁気テープドライブ１７のカートリッジ装着口１７ａに装着させる、図８に実線で示すドライブ装着位置と、押し爪５２をカートリッジ７の前面に当接させて、カートリッジ７を磁気テープドライブ１７のカートリッジ装着口１７ａ内に押し込む押込み位置(図示略)とに移動可能となっている。
摺動体３２の各位置の検出手段については、公知のものでよいので、その図示および詳細な説明を省略してある。
【００５２】
このカートリッジ搬送装置１８により、カートリッジ収容部１６内に収容された各カートリッジ７は、そこから取り出されて、いずれかの磁気テープドライブ１７に装着されたり、いずれかの磁気テープドライブ１７から取り出されて、カートリッジ収容部１６内の元の場所に戻されたりする。
また、カートリッジ搬送装置１８は、出入口８からローディングボックス２８に装着されたカートリッジ７を、カートリッジ収容部１６内の特定の場所や、いずれかの磁気テープドライブ１７まで搬送したり、カートリッジ収容部１６内に収容されたカートリッジ７や、いずれかの磁気テープドライブ１７から排出されたカートリッジ７を、ローディングボックス２８まで搬送したりすることができる。
その具体的な作用および作動態様については後述する。
【００５３】
筐体１の後面には、空気清浄機５５が、その前面下部に設けた下向フック５６を、筐体１の後面板３に設けた受け金具５７に係合させた状態で、空気清浄機５５の前上部に左右方向を向く軸５８をもって枢着された左右１対のフック５９を、筐体１の後部に設けた左右方向を向く有頭係合軸６０に係止させることにより、着脱可能として設けられている。この空気清浄機５５は、筐体１内に設けることもある。
【００５４】
空気清浄機５５は、筐体１の後面に装着したとき、筐体１の後面板３に設けた排気口６１に接続される吸込口６２と、同じく筐体１の後面板３に設けた清浄空気取入れ口６３に接続される吹出口６４とを有し、図３に模式的に示すように、ファン６５により、吸込口６２から取り込んだ空気を、各種フィルタ６６、温度および湿度を設定した値に保つ温湿度調整装置６７および除電イオン供給装置６８を順次通して、吹出口６４から筐体１内に送給するようになっている。
【００５５】
筐体１内の清浄空気取入れ口６３には、空気清浄機５５から供給される、除電イオンを含む清浄な空気の一部を、各磁気テープドライブ１７に導く分岐ダクト６９を設け、磁気テープドライブ１７において、カートリッジ７における磁気テープ１１の巻き直しを実行する際に、カートリッジ７から引き出されて走行する磁気テープ１１の走行部分の雰囲気に、除電イオンを含む清浄な空気を直接供給するようにし、清浄空気取入れ口６３における分岐ダクト６９以外の部分から、残りの清浄な空気を筐体１内に直接供給するようにするのが好ましい。
【００５６】
除電イオン供給装置６８は、空気清浄機５５から独立して、筐体１内に設けることもある。
また、分岐ダクト６９は、省略して実施することもある。
【００５７】
次に、図９に示すブロック図に基づいて、磁気テープ保管装置の第１の実施形態における電気系統について説明する。
制御装置であるコンピュータ２０の入力側は、操作盤１５、カートリッジデータ読取り装置１９および電源装置２１とに接続されている。
また、コンピュータ２０の出力側は、カートリッジ搬送装置１８(具体的には、モータ４３、４９、５４および各移動部材の位置を検出する、図示を省略した各種センサ)、および各磁気テープドライブ１７(具体的には、それらの内部制御装置)とに接続されている。
【００５８】
コンピュータ２０は、その機能を図９に模式的に示すように、主制御回路７０と、それに接続されたタイマ７１およびメモリ７２と、一定周期、例えば月または週に１度等の間隔とした検査日時に、カートリッジ収容部１６に収容されているすべてのカートリッジ７の検査を行う定期検査回路７３と、操作盤１５の操作により入力された指令に従って、その指令内容を個別に実行する個別制御回路７４とを備えている。
なお、コンピュータ２０内における主制御回路７０、定期検査回路７３、個別制御回路７４、並びに後述する巻き直し時期判別回路７５、書き換え時期判別回路７６、巻き直し実行回路７７、書き換え実行回路７８は、それぞれ「回路」という名称を付してあるが、具体的な回路構成を有するものではなく、コンピュータ２０内における特定の機能を表現したものであり、実際には、ＣＰＵ内に渾然一体となって存在するものである。
【００５９】
定期検査回路７３は、タイマ７１の経時が検査日時に到来したことを主制御回路７０が検出したときに作動させられ、カートリッジ搬送装置１８を作動させて、そのスライドフレーム３０の前片２９に設けられたカートリッジデータ読取り装置１９を、カートリッジ収容部１６に収容されている第１番目のカートリッジ７のメモリチップ１３に対峙する位置まで移動させ、そのメモリチップ１３に記憶されているデータを読み取り、そのデータから、そのカートリッジ７がテープの巻き直し時期に来ているか否かを、巻き直し時期判別回路７５により判別させたり、そのカートリッジ７のエラーレートが、書き換えを必要とする閾値に達しているか否かを、書き換え時期判別回路７６により判別させたりするとともに、検査結果を第１番目のカートリッジ７のメモリチップ１３に新たに書き込み、それと同様の作業を、第２番目から最終番目のカートリッジ７に、順次行わせる。
【００６０】
巻き直し実行回路７７は、巻き直し時期判別回路７５が、検査中のあるカートリッジ７が巻き直し時期に来ていると判別したときに作動させられ、上記カートリッジ７の巻き直し作業を自動的に行うように、カートリッジ搬送装置１８と、いずれかの磁気テープドライブ１７とを制御するためのものである。その具体的な作用については後述する。
【００６１】
上記カートリッジ７の巻き直し作業が行われたときは、その巻き直し作業を行った磁気テープドライブ１７か、または巻き直し作業を終えて、カートリッジ収容部１６における元の収容位置に戻されたときに対峙しているカートリッジデータ読取り装置１９かのどちらかにより、その巻き直し実行記録が、上記カートリッジ７のメモリチップ１３に新たに書き込まれるようになっている。
【００６２】
書き換え実行回路７８は、書き換え時期判別回路７６が、検査中のあるカートリッジ７のエラーレートが、書き換えを必要とする閾値に達していると判別したときに作動させられ、上記カートリッジ７の書き換え作業を自動的に行うように、カートリッジ搬送装置１８と、いずれか２台の磁気テープドライブ１７、１７とを制御するためのものである。その具体的な作用については後述する。
【００６３】
上記カートリッジ７の書き換え作業が行われたときは、その未使用の新たなカートリッジ７のメモリチップ１３には、他の磁気テープドライブ１７に装着した書き換え前のカートリッジ７における磁気テープ１１の読み取り情報と、新たなカートリッジ７の磁気テープ１１への書き込み情報との比較から得られたエラーレートだけでなく、書き換え前のカートリッジ７におけるメモリチップ１３に記憶されているデータも、前世代の情報として記憶されるようになっている。
【００６４】
以上の回路構成のうち、書き換え時期判別回路７６は、カートリッジデータ読取り装置１９が読み取ったエラーチェック履歴に含まれるエラーレートが予め定めた閾値を越えたことを判別し、その情報を出力する書き換え時期判別装置をなし、それを含むコンピュータ２０は、書き換え制御装置をなしている。
【００６５】
次に、図９に示すブロック図と、図１０〜図１３に示すフローチャートとに基づいて、第１の実施形態における基本的な作用について説明する。
図１０に示すように、タイマー７１の現在時刻が、予め定めた検査日時に達すると(S1)、定期検査回路７３が作動させられる(S2)。
【００６６】
すると、カートリッジ搬送装置１８における左右移動装置３１のモータ４３が作動させられ(S3)、スライドフレーム３０が左右方向に移動させられ、スライドフレーム３０が、カートリッジ収容部１６内に収容されている予め定めた第１番目のカートリッジ７に整合する第１目的位置に到達すると(S4)、モータ４３の作動が停止させられる(S5)。
【００６７】
このときの位置決めは、例えば収容ボックス２６の前面板２３における各カートリッジ７に対応する位置に、第１番目〜第Ｎ番目を示すバーコード(図示略)を添付し、それに対向するスライドフレーム３０における前片２９の後面にバーコードリーダ(図示略)を設けておき、このバーコードリーダにより、バーコードを非接触で読むことにより行ってもよく、またはリニアエンコーダ(図示略)等のその他の位置決め手段により行ってもよい。
なお、その他の移動部材の位置検出手段については、説明を簡略化するため、図示および説明を省略してある。
【００６８】
モータ４３の作動が停止させられた後(S5)、カートリッジデータ読取り装置１９により、それに対峙している(収容ボックス２６の前面板２３を介しているが)カートリッジ７のメモリチップ１３に記憶されているデータが読み取られる(S6)。
【００６９】
カートリッジデータ読取り装置１９により読み取られたデータは、主制御回路７０に送られ、データの解析が行われた後、そこに記憶されている最後の巻き直し年月日から現在時刻までが、予め定めた巻き直し期間を経過しているか否かが、巻き直し時期判別回路７５において判別され(S7)、巻き直し期間を経過している場合は、操作盤１５に巻き直し必要表示をした後(S8)、巻き直し実行回路７７が作動させられ、巻き直し作業が開始される(S9)。
巻き直し実行回路７７の作動による具体的な巻き直し作業の流れについては、図１１および図１２に基づいて、後に説明する。
【００７０】
ステップ(S7)において、巻き直し期間を経過していない場合は、書き換え時期判別回路７６において、書き換え時期が到来しているか否かが判別される(S10)。
【００７１】
書き換え時期判別回路７６においては、上記データに含まれるエラーチェック履歴における最後のエラーレートが、予め定めた閾値を越えているか否かが判別され、閾値を越えている場合は、書き換え時期が到来しているとして、操作盤１５に書き換え必要表示をした後(S11)、書き換え実行回路７８が作動させられ、書き換え作業が開始される。
書き換え実行回路７８の作動による具体的な書き換え作業の流れについては、図１３に基づいて、後に説明する。
【００７２】
ステップ(S10)において、最後のエラーレートが閾値を越えていない場合は、他のチェックポイントに問題がないか否かが判別され(S13)、問題が生じている場合は、その問題点を操作盤１５に表示した後(S14)、問題解決作業が開始される(S15)。
【００７３】
ステップ(S13)において、他のチェックポイントに問題がなかった場合は、今回の検査結果を操作盤１５に表示した後(S16)、その検査結果を、カートリッジデータ読取り装置１９より、それに対峙しているカートリッジ７のメモリチップ１３に新たに書き込み(S17)、第１番目のカートリッジ７の定期検査を終了する(S18)。
【００７４】
その後、再度モータ４３を作動させて(S19)、スライドフレーム３０を第２番目のカートリッジ７に整合する第２目的位置に移動させ(S20)、上記と同様の作業を行い、以下同様にして、スライドフレーム３０を第３番目〜第Ｎ番目のカートリッジ７に整合する第３〜第Ｎ目的位置に移動させて、上記と同様の作業を行い、第Ｎ番目のカートリッジ７の定期検査が終了すると(S21)、検査結果をメモリ７２に記憶させて(S22)、定期検査を終了する。
【００７５】
ステップ(S9)において、巻き直し実行回路７７が作動させられると、図１１に示すように、係脱駆動装置３５におけるモータ５４が作動させられ(S31)、係合部材３４が、その係合爪５１が下方を向く係合位置に達すると(S32)、モータ５４の作動が停止させられる(S33)。
【００７６】
このとき、摺動体３２は前限位置に位置しており、係合爪５１が係合位置に達すると、係合爪５１は、その直下のカートリッジ７の上面における前方の凹部１０ｂに係合する。
【００７７】
次いで、前後移動装置３３におけるモータ４９が後進作動させられ(S34)、摺動体３２が後進させられて、引き出し位置に達すると(S35)、モータ４９の後進作動が停止させられる(S36)。
この間に、カートリッジ７は、凹部１０ｂに係合爪５１が係合した状態で、摺動体３２とともに後進させられ、収容ボックス２６から移動ボックス３６に移載させられる。
【００７８】
続いて、左右移動装置３１におけるモータ４３が作動させられ(S37)、スライドフレーム３０が、左右方向に移動させられて、予め定めた磁気テープドライブ１７に対向する位置に到達すると(S38)、モータ４３の作動が停止させられ(S39)、スライドフレーム３０はその位置で停止させられる。
【００７９】
次いで、前後移動装置３３におけるモータ４９が再度後進作動させられ(S40)、摺動体３２が後進させられて、ドライブ装着位置に達すると(S41)、モータ４９の後進作動が停止させられる(S42)。
この間に、カートリッジ７は、移動ボックス３６内から、磁気テープドライブ１７のカートリッジ装着口１７ａへ挿入させられる。
【００８０】
次いで、係脱駆動装置３５におけるモータ５４が作動させられ(S43)、係合部材３４が、その押し爪５２が下方を向く押動可能位置に達すると(S44)、モータ５４の作動が停止させられる(S45)。
この間に、係合部材３４における係合爪５１は、上方を向いて、カートリッジ７の凹部１０ｂから離脱し、それとは逆に、押し爪５２は下方を向いて、カートリッジ７の前面に対向する。
【００８１】
この状態から、前後移動装置３３におけるモータ４９が再度後進作動させられ(S46)、摺動体３２が後進させられると、カートリッジ７は、その前面が押し爪５２により後方に押動されて、カートリッジ装着口１７ａ内に押し込まれ、摺動体３２が押込み位置に達すると(S47)、モータ４９の後進作動が停止させられる(S48)。
【００８２】
このとき、押し爪５２は、磁気テープドライブ１７のカートリッジ装着口１７ａに当接するか、または近接する位置に停止しており、万一の地震時等におけるカートリッジ装着口１７からのカートリッジ７の飛び出しを防止することができる。
【００８３】
その後、図１２に示すように、磁気テープドライブ１７において、カートリッジ７の磁気テープ１１巻き直し作業が行われるが(S49)、その作業は公知のものと同一でよいので、詳細な説明は省略する。
【００８４】
磁気テープドライブ１７における巻き直し作業が終了すると、前後移動装置３３におけるモータ４９が前進作動させられ(S50)、摺動体３２がドライブ装着位置に達すると(S51)、モータ４９の前進作動が停止させられる(S52)。
【００８５】
次いで、磁気テープドライブ１７のカートリッジ装着口１７ａから、巻き直し作業を終えたカートリッジ７が排出され(S53)、そのカートリッジ７の前面が押し爪５２に当接した後、係脱駆動装置３５におけるモータ５４が作動させられ(S54)、係合部材３４が、その係合爪５１が下方を向く係合位置に達すると(S55)、モータ５４の作動が停止させられる(S56)。
この間に、係合部材３４における押し爪５２は上方を向いて、カートリッジ７の前面から離れ、それとは逆に、係合爪５０は、下方を向いて、カートリッジ７の凹部１０ｂに係合する。
【００８６】
次いで、前後移動装置３３におけるモータ４９が前進作動させられ(S57)、摺動体３２が前進させられ、それに伴ってカートリッジ７も前進させられて、移動ボックス３６内に収容され、摺動体３２が引き出し位置に達すると(S58)、モータ４９の前進作動が停止させられる(S59)。
【００８７】
その後、上記ステップ(S34)〜(S39)と逆の経路を辿って、すなわち、スライドフレーム３０が、左右移動装置３１の作動により、支持しているカートリッジ７の収容ボックス２６における元の収容位置に整合する位置まで左右方向に移動させられた後、支持しているカートリッジ７が、前後移動装置３３の作動により、収容ボックス２６における元の収容位置に戻され(S60)、その後、係脱駆動装置３５におけるモータ５４が作動させられ(S61)、係合部材３４が、その係合爪５１が水平方向を向く非係合位置に達して(S62)、モータ５４の作動が停止させられる(S63)ことにより、巻き直し作業が終了し、ステップ(S10)に戻る。
【００８８】
ステップ(S12)において、書き換え実行回路７８が作動させられると、図１３に示すように、書き換えを必要とするカートリッジ(以下、旧カートリッジという)７が、ステップ(S31)〜(S49)と同様にして、収容ボックス２６から第１の磁気テープドライブ１７に装着され(S71)、次いで、収容ボックス２６における他の場所か、またはローディングボックス２８に装着された未使用の新たなカートリッジ(以下、新カートリッジという)７が、ステップ(S31)〜(S49)と同様にして、第２の磁気テープドライブ１７に装着され(S72)、書き換え作業が開始される(S73)。
【００８９】
この書き換え作業は、第１の磁気テープドライブ１７に装着された旧カートリッジ７の磁気テープ１１に記録されているデータを読み取って、そのまま第２の磁気テープドライブ１７に装着された新カートリッジ７の磁気テープ１１に記録することにより行われ、書き換え作業が終了すると(S74)、そのときの第１の磁気テープドライブ１７による読み取り情報と、第２の磁気テープドライブ１７による書き込み情報との比較からエラーレートが検出され(S75)、そのエラーレートが新カートリッジ７のメモリチップ１３に記憶されるだけでなく、旧カートリッジ７におけるメモリチップ１３に記憶されているエラーレート履歴を含むデータをも、前世代の情報として記憶させられる(S76)。
【００９０】
新カートリッジ７のメモリチップ１３への書き込み作業が終了すると(S77)、新カートリッジ７は、カートリッジ搬送装置１８により、収容ボックス２６における旧カートリッジ７が収容されていた元の場所に戻され(S78)、旧カートリッジ７は、カートリッジ搬送装置１８により、ローディングボックス２８に搬送され(S79)、そこから筐体１の出入口８を通して、筐体１外へ排出され、書き換え作業が終了し、ステップ(S13)に戻る。
【００９１】
各カートリッジ７のエラーチェックの方法に関しては、公知の方法と同様でよいので、その説明は省略する。
【００９２】
以上から明らかなように、第１の実施形態によると、適時に、または予め定めた周期で、カートリッジ搬送装置１８を作動させて、そこに設けたカートリッジデータ読取り装置１９により、カートリッジ収容部１６に収容されている各カートリッジ７のメモリチップ１３に記憶されているデータを非接触で読み取り、そのデータに基づいて、コンピュータ２０において、巻き直しを必要としているカートリッジ７が割り出されると、そのカートリッジ７がカートリッジ搬送装置１８により磁気テープドライブ１７まで搬送され、そこでそのカートリッジ７内の磁気テープ１１が自動的に巻き直される。
【００９３】
この巻き直しにより、カートリッジ７内の磁気テープ１１は、蓄積されていたストレスが解放され、かつ一旦筐体１内の雰囲気に曝されて活性化されることにより、耐久性が増す。
それによって、貴重なデータが記録されている磁気テープ１１、ひいてはそこに記録されているデータを、小スペース内において、安価に、長期間に亘って、確実に保存することができる。
また、カートリッジデータ読取り装置１９は、各カートリッジ７のメモリチップ１３に記憶されているデータを非接触で読み取ることができるので、各カートリッジ７を収容場所から出し入れすることなく、各カートリッジ７のメモリチップ１３の情報を、効率よく、迅速に読み取ることができる。
【００９４】
筐体１には、カートリッジ７における磁気テープ１１の巻き直しを実行する際に、カートリッジ７から引き出されて走行する磁気テープ１１の走行部分の雰囲気に、除電イオンを含む空気を供給する除電イオン供給装置６８が設けられているので、磁気テープ１１の巻き直し時に発生する静電気により、磁気テープ１１に記録されているデータに悪影響を及ぼしたり、磁気テープ１１に塵埃等の望ましくない微小粒子が付着したりするのを防止することができる。
【００９５】
書き換え時期判別回路７６により、エラーチェック履歴に含まれるエラーレートが予め定めた閾値を越えたことを判別することによって、その磁気テープ１１が、保守または交換すべき状態となっていることを知ることができる。
【００９６】
また、書き換え実行回路７８により、磁気テープ１１に記録されているデータが、使用できなくなる前に、そのデータを、未使用の新しいカートリッジ７の磁気テープ１１に自動的に書き換えて、記録媒体を新しくすることができ、磁気テープ１１の寿命を越えて、データの長期保存を可能とすることができる。
【００９７】
書き換え作業を行った際には、新たなカートリッジ７におけるメモリチップ１３に、書き換え時のエラーレートとともに、書き換え前のカートリッジ７におけるメモリチップ１３に記憶されていた情報も、前世代の情報として記憶されるので、エラーレートの増加状況を、書き換え前のカートリッジ７まで遡って、正確に知ることができる。
【００９８】
筐体１に、カートリッジ７を出し入れしうる出入口８を設け、かつカートリッジ搬送装置１８を、出入口８に外部から挿入したカートリッジ７をカートリッジ収容部１６または磁気テープドライブ１７まで搬送し、かつカートリッジ収容部１６に収容されているか、または磁気テープドライブ１７に装着されているカートリッジ７を、出入口８まで搬送し、そこから外部に排出させることができるようにしてあるので、筐体１内のカートリッジ収容部１６に収容されているカートリッジ７を、必要に応じて、筐体１外に出し入れしたり、交換したりすることができるとともに、書き換え済みの元のカートリッジ７を、磁気テープドライブ１７またはカートリッジ収容部１６から筐体１外に排出したり、未使用の新しいカートリッジ７を、筐体１外から、筐体１内の磁気テープドライブ１７またはカートリッジ収容部１６に搬入したりすることができる。
【００９９】
カートリッジ搬送装置１８を、上記のような構成としてあるので、各カートリッジ７に設けられている凹部１０ｂを利用して、そこに係合部材３４を係合させて、その係合部材３４を摺動体３２とともに前後移動装置３３により後方に移動させることにより、カートリッジ７を簡単に台板２２上から移動受け部材３７上に移載することができ、移動受け部材３７上に移載した状態で、スライドフレーム３０を左右移動装置３１により、左右方向に移動させることによって、カートリッジ７を、左右方向に搬送することができる。
また、カートリッジ７の凹部１０ｂに係合部材３４が係合している状態で、係合部材３４を摺動体３２とともに前後移動装置３３により、前方に移動させることにより、移動受け部材３７上に載置されたカートリッジ７を、カートリッジ収容部１６における台板２２上に、簡単かつ迅速に移載させることができる。
さらに、カートリッジ搬送装置１８の構造を簡素化することができるとともに、製造コストを低減することができる。
【０１００】
係合部材３４を、前後方向を向く軸部５０と、その一端より軸部５０と直交する方向に突出する係合爪５１とを有するものとし、かつ軸部５０を係脱駆動装置３５により回動させることによって、係合爪５１がカートリッジ７に設けられた凹部１０ｂに係合する係合位置と、係合爪５１がカートリッジ７の凹部１０ｂから離脱する非係合位置とに移動可能としてあるので、係合部材３４を簡単な構造のものとすることができ、安価に製造することができるとともに、操作を簡略化することができる。
【０１０１】
また、筐体１内における移動受け部材３７より後方に、磁気テープドライブ１７を、そのカートリッジ装着口１７ａが前方を向くようにして配設し、係合部材３７を、軸部５０の他端より軸部５０と直交する方向で、かつ係合爪５１に対して軸部５０を中心として９０°以上の角度をなす方向に突出する押し爪５２をさらに有するものとし、さらに、係脱駆動装置３５を、係合爪５１がカートリッジ７の凹部１０ｂから離脱した状態で、押し爪５２がカートリッジ７の前面に当接しうる押動可能位置まで、係合部材３４を回動させうるものとしてあるので、移動受け部材３７上に載置されたカートリッジ７を、磁気テープドライブ１７のカートリッジ装着口１７ａに整合させた後、係合部材３４の係合爪５１がカートリッジ７の凹部１０ｂに係合している状態で、摺動体３２を後方に移動させることにより、カートリッジ７を、係合部材３４の係合爪５１が磁気テープドライブ１７の前面に当接または近接するまで、磁気テープドライブ１７のカートリッジ装着口１７ａに挿入することができ、その後、係脱駆動装置３５により、係合部材３４を押動可能位置まで回動させて、押し爪５２をカートリッジ７の前面に対峙させ、その状態で、摺動体３２をさらに後方に移動させることにより、カートリッジ７を、磁気テープドライブ１７のカートリッジ装着口１７ａに、より深く挿入することができる。
【０１０２】
さらに、カートリッジ７を磁気テープドライブ１７のカートリッジ装着口１７ａに挿入した後、係合部材３４の押し爪５２を、カートリッジ装着口１７ａに当接または近接する位置に停止させたままとすることにより、カートリッジ７がカートリッジ装着口１７ａから飛び出すのを防止することができる。すなわち、押し爪５２を、カートリッジ７の飛び出し防止用のストッパとすることができる。
【０１０３】
図１３は、本発明の磁気テープ保管装置の第２の実施形態を示す。なお、第１の実施形態におけるのと同一または類似の部材には、同一の符号を付して図示するに止め、それらについての詳細な説明は省略する。
第２の実施形態においては、第１の実施形態における収容ボックス２６に代えて、筐体１における左右の側面板６、６間に架設した左右方向を向く水平な台板８０と、その前端に立設した起立片８１と、複数の仕切板２７とをもってカートリッジ収容部１６を形成してある。
【０１０４】
カートリッジ搬送装置１８においては、第１の実施形態における移動ボックス３６を省略し、それに代えて、スライドフレーム３０における前片２９を下方に延長し、その下端と、第１の実施形態における移動ボックス３６の移動受け部材３７同様とした移動受け部材８２の前端とを、台板８０の下方を通る前後方向を向く連結材８３をもって連結することにより、スライドフレーム３０と移動受け部材８２とを一体化してある。
【０１０５】
移動受け部材８２の左右の両側縁には、移動受け部材３７上に載置されたカートリッジ７の側方への傾倒を防止するための左右１対の仕切板(その一方のみを図示する)８４が立設されている。
【０１０６】
第２の実施形態においても、第１の実施形態におけるのと同様に作用し、かつ同様の効果を奏することができる。
【０１０７】
本発明は、上記実施形態のみに限定されるものではなく、特許請求の範囲を逸脱することなく、例えば、次のような変形した態様での実施が可能である。
(１)  いずれかの磁気テープドライブ１７において、カートリッジ７のエラーチェックを行い、そのエラーレートが予め定めた閾値を越えたことを、その磁気テープドライブ１７が判別したときは、そのカートリッジ(以下、旧カートリッジという)７をその磁気テープドライブ１７に装着したままの状態で、別の磁気テープドライブ１７に未使用の新たなカートリッジ(以下、新カートリッジという)７を装着し、その新カートリッジ７と、上記の旧カートリッジ７との間で、上記と同様にして、書き換え作業を行い、新カートリッジ７のメモリチップ１３に、書き換え時のエラーレートだけでなく、書き換え前のカートリッジ７におけるメモリチップ１３に記憶されているデータも、前世代の情報として記憶させる。
【０１０８】
(２)  前後１対のガイドロッド３９、３９を、スライドフレーム３０の上方において、筐体１における左右の側面板６、６間に架設し、両ガイドロッド３９、３９に摺動自在に外嵌した摺動筒３８、３８を、直接、または吊杆を介して、スライドフレーム３０と一体化し、スライドフレーム３０を、その上方において、左右方向に移動可能として案内する。
【０１０９】
(３)  左右移動装置３１を、スライドフレーム３０の上方に設ける。
すなわち、左右のプーリ４０、４０を、スライドフレーム３０と等高か、またはそれより上方において、筐体１における左右の側面板６、６に枢支し、それらに掛け回した無端のタイミングベルト４１の下側走行片をスライドフレーム３０に止着し、かつ同じく上側走行片を、タイミングベルト４６の上方を走行するようにする。
【０１１０】
(４)  スライドフレーム３０を、カートリッジ収容部１６の下方において、左右方向に移動可能として設ける。
この場合、係合部材３４を、カートリッジ収容部に収容されている各カートリッジの下面に設けられた凹部１０ｂに選択的に係脱しうるようにする。
【符号の説明】
【０１１１】
１  筐体
２  前面板
３  後面板
４  上面板
５  底板
６  側面板
７  カートリッジ
８  出入口
９  閉塞板
１０  ケース
１０ａ正面
１０ｂ凹部
１１  磁気テープ
１１ａ巻き終わり端部
１１ｂリーダーピン
１２  テープアクセスゲート
１３  メモリチップ
１４  ライトプロテクトスイッチ
１５  操作盤
１６  カートリッジ収容部
１７  磁気テープドライブ
１７ａカートリッジ装着口
１８  カートリッジ搬送装置
１９  カートリッジデータ読取り装置
２０  コンピュータ(制御装置)
２１  電源装置
２２  台板
２３  前面板
２４  上面板
２４ａスリット
２５  側板
２６  収容ボックス
２７  仕切板
２８  ローディングボックス
２８ａスリット
２９  前片
３０  スライドフレーム
３１  左右移動装置
３２  摺動体
３２ａ基片
３２ｂ取付片
３２ｃ前片
３２ｄ後片
３３  前後移動装置
３４  係合部材
３５  係脱駆動装置
３６  移動ボックス
３７  移動受け部材
３８  摺動筒
３９  ガイドロッド
４０  プーリ
４０ａ軸
４１  タイミングベルト
４２  軸受部材
４３  モータ
４３ａ回転軸
４４  スリット
４５  プーリ
４６  タイミングベルト
４７  軸
４８  モータ支持板
４９  モータ
４９ａ回転軸
５０  軸部
５１  係合爪
５２  押し爪
５３  軸
５４  モータ
５５  空気清浄機
５６  下向フック
５７  受け金具
５８  軸
５９  フック
６０  有頭係合軸
６１  排気口
６２  吸込口
６３  清浄空気取入れ口
６４  吹出口
６５  ファン
６６  フィルタ
６７  温湿度調整装置
６８  除電イオン供給装置
６９  分岐ダクト
７０  主制御回路
７１  タイマ
７２  メモリ
７３  定期検査回路
７４  個別制御回路
７５  巻き直し時期判別回路
７６  書き換え時期判別回路
７７  巻き直し実行回路
７８  書き換え実行回路
８０  台板
８１  起立片
８２  移動受板
８３  連結材
８４  仕切板
【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
筐体と、
前記筐体内に設けられ、かつ巻回した磁気テープおよび非接触で読み取り可能のメモリチップを有する複数のカートリッジを収容するカートリッジ収容部と、
前記筐体内に設けられ、かつ前記カートリッジにおける磁気テープの読み取り、書き込み、および巻き直しを行う磁気テープドライブと、
前記筐体内に設けられ、かつ前記カートリッジ収容部に収容されている複数のカートリッジを、選択的に前記磁気テープドライブに移送および元位置に返送するカートリッジ搬送装置と、
前記カートリッジ搬送装置に設けられ、かつ前記カートリッジ収容部に収容されている複数のカートリッジにおける各メモリチップに記憶されているデータを、選択的に非接触で読み取ることのできるカートリッジデータ読取り装置と、
前記筐体に設けられ、かつ前記カートリッジデータ読取り装置により読み取られたデータに基づいて、巻き直しを必要とするカートリッジを割り出し、割り出されたカートリッジにおける磁気テープの巻き直しを実行するように、前記磁気テープドライブおよびカートリッジ搬送装置を制御する制御装置と、
前記筐体に設けられ、かつ前記カートリッジにおける磁気テープの巻き直しを実行する際に、カートリッジから引き出されて走行する磁気テープの走行部分の雰囲気に、除電イオンを含む空気を供給する除電イオン供給装置とを備え、
前記カートリッジにおけるメモリチップには、該カートリッジの巻き直し履歴が記憶されるようになっていることを特徴とする磁気テープ保管装置。
【請求項２】
筐体と、
前記筐体内に設けられ、かつ巻回した磁気テープおよび非接触で読み取り可能のメモリチップを有する複数のカートリッジを収容するカートリッジ収容部と、
前記筐体内に設けられ、かつ前記カートリッジにおける磁気テープの読み取り、書き込み、および巻き直しを行う磁気テープドライブと、
前記筐体内に設けられ、かつ前記カートリッジ収容部に収容されている複数のカートリッジを、選択的に前記磁気テープドライブに移送および元位置に返送するカートリッジ搬送装置と、
前記カートリッジ搬送装置に設けられ、かつ前記カートリッジ収容部に収容されている複数のカートリッジにおける各メモリチップに記憶されているデータを、選択的に非接触で読み取ることのできるカートリッジデータ読取り装置と、
前記筐体に設けられ、かつ前記カートリッジデータ読取り装置により読み取られたデータに基づいて、巻き直しを必要とするカートリッジを割り出し、割り出されたカートリッジにおける磁気テープの巻き直しを実行するように、前記磁気テープドライブおよびカートリッジ搬送装置を制御する制御装置とを備え、
前記カートリッジにおけるメモリチップには、該カートリッジの巻き直し履歴が記憶されるようになっており、
前記磁気テープドライブは、磁気テープのエラーチェックを行い、かつエラーチェックした履歴を、エラーチェックした前記磁気テープが収容されているカートリッジのメモリチップに記憶させる機能を有しており、前記カートリッジデータ読取り装置は、複数のカートリッジにおける各メモリチップに記憶されているエラーチェック履歴をも選択的に非接触で読み取ることができるようになっており、さらに、前記制御装置は、前記カートリッジデータ読取り装置が読み取ったエラーチェック履歴に含まれるエラーレートが予め定めた閾値を越えたことを判別し、判別した情報を出力する書き換え時期判別装置を有しており、
前記筐体内に、少なくとも２台の磁気テープドライブを設け、かつ前記制御装置に、前記書き換え時期判別装置の情報に基づいて、エラーチェック履歴が閾値を越えた磁気テープが収容されているカートリッジを一方の磁気テープドライブに装着し、他方の磁気テープドライブに、筐体内に予め保管しておいた未使用のカートリッジを装着し、一方の磁気テープドライブにより読み取った磁気テープのデータを、他方の磁気テープドライブに装着した未使用のカートリッジの磁気テープに書き込むように、前記カートリッジ搬送装置と前記２台の磁気テープドライブとを制御する書き換え制御装置を設け、
さらに、前記書き換え制御装置に、エラーチェック履歴が閾値を越えた磁気テープが収容されているカートリッジにおけるメモリチップに記憶されているデータを、未使用のカートリッジにおけるメモリチップに、前世代の情報として記憶させる手段を設けたことを特徴とする磁気テープ保管装置。
【請求項３】
筐体と、
前記筐体内に設けられ、かつ巻回した磁気テープおよび非接触で読み取り可能のメモリチップを有する複数のカートリッジを収容するカートリッジ収容部と、
前記筐体内に設けられ、かつ前記カートリッジにおける磁気テープの読み取り、書き込み、および巻き直しを行う磁気テープドライブと、
前記筐体内に設けられ、かつ前記カートリッジ収容部に収容されている複数のカートリッジを、選択的に前記磁気テープドライブに移送および元位置に返送するカートリッジ搬送装置と、
前記カートリッジ搬送装置に設けられ、かつ前記カートリッジ収容部に収容されている複数のカートリッジにおける各メモリチップに記憶されているデータを、選択的に非接触で読み取ることのできるカートリッジデータ読取り装置と、
前記筐体に設けられ、かつ前記カートリッジデータ読取り装置により読み取られたデータに基づいて、巻き直しを必要とするカートリッジを割り出し、割り出されたカートリッジにおける磁気テープの巻き直しを実行するように、前記磁気テープドライブおよびカートリッジ搬送装置を制御する制御装置とを備え、
前記カートリッジにおけるメモリチップには、該カートリッジの巻き直し履歴が記憶されるようになっており、
前記カートリッジ収容部を、台板上に複数のカートリッジを左右方向に並べて収容するものとし、前記カートリッジ搬送装置を、
前記カートリッジ収容部に収容された複数のカートリッジの上方または下方を左右方向に移動可能として前記筐体内に設けられた前後方向を向くスライドフレームと、
前記スライドフレームを左右方向に移動させる左右移動装置と、
前記スライドフレームに前後方向に移動可能として装着された摺動体と、
前記摺動体をスライドフレームに沿って前後方向に移動させる前後移動装置と、
前記摺動体に設けられ、かつ前記カートリッジ収容部に収容されている各カートリッジの表面に設けられた凹部に選択的に係脱しうる係合部材と、
前記係合部材を、前記カートリッジの凹部に係合しうる係合位置と、前記凹部から離脱する非係合位置とに移動させる係脱駆動装置と、
前記台板の後方に位置するようにして、前記スライドフレームと一体的に設けられ、かつ前記係合部材が凹部に係合して、前記台板より後方に移動させられたカートリッジを受支する移動受け部材
とを備えているものとし、さらに、前記スライドフレームにおける前記カートリッジ収容部に収容されている各カートリッジのメモリチップに対向する部分に、前記カートリッジデータ読取り装置を設けたことを特徴とする磁気テープ保管装置。
【請求項４】
前記係合部材を、前後方向を向く軸部と、前記軸部の一端より前記軸部と直交する方向に突出する係合爪とを有するものとし、かつ前記軸部を前記係脱駆動装置により回動させることによって、前記係合爪が前記カートリッジに設けられた凹部に係合する係合位置と、前記係合爪が前記カートリッジの凹部から離脱する非係合位置とに移動可能としたことを特徴とする請求項３記載の磁気テープ保管装置。
【請求項５】
前記磁気テープドライブがカートリッジ装着口を有しており、前記筐体内における移動受け部材より後方に、前記磁気テープドライブを、前記カートリッジ装着口が前方を向くようにして配設し、前記係合部材を、前記軸部の他端より前記軸部と直交する方向で、かつ前記係合爪に対して前記軸部を中心として９０°以上の角度をなす方向に突出する押し爪をさらに有するものとし、さらに、前記係脱駆動装置を、前記係合爪が前記カートリッジの凹部から離脱した状態で、前記押し爪が前記カートリッジの前面に当接しうる押動可能位置まで、前記係合部材を回動させうるものとしたことを特徴とする請求項４記載の磁気テープ保管装置。
【請求項６】
前記筐体に、カートリッジを出し入れしうる出入口を設け、かつ前記カートリッジ搬送装置を、前記出入口に外部から挿入したカートリッジをカートリッジ収容部または磁気テープドライブまで搬送し、かつカートリッジ収容部に収容されているか、または磁気テープドライブに装着されているカートリッジを、前記出入口まで搬送し、そこから外部に排出させる機能を有するものとしたことを特徴とする請求項１〜５のいずれかに記載の磁気テープ保管装置。
【手続補正２】
【補正対象書類名】明細書
【補正対象項目名】００１０
【補正方法】変更
【補正の内容】
【００１０】
(２)  磁気テープ保管装置が、筐体と、前記筐体内に設けられ、かつ巻回した磁気テープおよび非接触で読み取り可能のメモリチップを有する複数のカートリッジを収容するカートリッジ収容部と、前記筐体内に設けられ、かつ前記カートリッジにおける磁気テープの読み取り、書き込み、および巻き直しを行う磁気テープドライブと、前記筐体内に設けられ、かつ前記カートリッジ収容部に収容されている複数のカートリッジを、選択的に前記磁気テープドライブに移送および元位置に返送するカートリッジ搬送装置と、前記カートリッジ搬送装置に設けられ、かつ前記カートリッジ収容部に収容されている複数のカートリッジにおける各メモリチップに記憶されているデータを、選択的に非接触で読み取ることのできるカートリッジデータ読取り装置と、前記筐体に設けられ、かつ前記カートリッジデータ読取り装置により読み取られたデータに基づいて、巻き直しを必要とするカートリッジを割り出し、割り出されたカートリッジにおける磁気テープの巻き直しを実行するように、前記磁気テープドライブおよびカートリッジ搬送装置を制御する制御装置とを備えるものとし、前記カートリッジにおけるメモリチップには、該カートリッジの巻き直し履歴が記憶されるようになっており、前記磁気テープドライブは、磁気テープのエラーチェックを行い、かつエラーチェックした履歴を、エラーチェックした前記磁気テープが収容されているカートリッジのメモリチップに記憶させる機能を有しており、前記カートリッジデータ読取り装置は、複数のカートリッジにおける各メモリチップに記憶されているエラーチェック履歴をも選択的に非接触で読み取ることができるようになっており、さらに、前記制御装置は、前記カートリッジデータ読取り装置が読み取ったエラーチェック履歴に含まれるエラーレートが予め定めた閾値を越えたことを判別し、判別した情報を出力する書き換え時期判別装置を有しており、前記筐体内に、少なくとも２台の磁気テープドライブを設け、かつ前記制御装置に、前記書き換え時期判別装置の情報に基づいて、エラーチェック履歴が閾値を越えた磁気テープが収容されているカートリッジを一方の磁気テープドライブに装着し、他方の磁気テープドライブに、筐体内に予め保管しておいた未使用のカートリッジを装着し、一方の磁気テープドライブにより読み取った磁気テープのデータを、他方の磁気テープドライブに装着した未使用のカートリッジの磁気テープに書き込むように、前記カートリッジ搬送装置と前記２台の磁気テープドライブとを制御する書き換え制御装置を設け、さらに、前記書き換え制御装置に、エラーチェック履歴が閾値を越えた磁気テープが収容されているカートリッジにおけるメモリチップに記憶されているデータを、未使用のカートリッジにおけるメモリチップに、前世代の情報として記憶させる手段を設ける。
【手続補正３】
【補正対象書類名】明細書
【補正対象項目名】００１４
【補正方法】変更
【補正の内容】
【００１４】
(４)  上記(３)項において、前記係合部材を、前後方向を向く軸部と、前記軸部の一端より前記軸部と直交する方向に突出する係合爪とを有するものとし、かつ前記軸部を前記係脱駆動装置により回動させることによって、前記係合爪が前記カートリッジに設けられた凹部に係合する係合位置と、前記係合爪が前記カートリッジの凹部から離脱する非係合位置とに移動可能とする。
【手続補正４】
【補正対象書類名】明細書
【補正対象項目名】００１６
【補正方法】変更
【補正の内容】
【００１６】
(５)  上記(４)項において、前記磁気テープドライブがカートリッジ装着口を有しており、前記筐体内における移動受け部材より後方に、前記磁気テープドライブを、前記カートリッジ装着口が前方を向くようにして配設し、前記係合部材を、前記軸部の他端より前記軸部と直交する方向で、かつ前記係合爪に対して前記軸部を中心として９０°以上の角度をなす方向に突出する押し爪をさらに有するものとし、さらに、前記係脱駆動装置を、前記係合爪が前記カートリッジの凹部から離脱した状態で、前記押し爪が前記カートリッジの前面に当接しうる押動可能位置まで、前記係合部材を回動させうるものとする。
【国際調査報告】
2017175264.tif 000017
2017175264.tif 000018
2017175264.tif 000019
2017175264.tif 000020